(57)【要約】【課題】所望の機能設定や切り換え設定等を行う際の設定操作の簡易化を実現し良好な操作性を備えた撮像装置を提供する。【解決手段】長方形状の画像を取得する撮像装置１において、撮像光学系４８によって結像された光学像を受けて画像データを取得する撮像ユニット４１と、少なくとも撮像ユニットを内部に収納するボディ筐体１０と、ボディ筐体の一側面近傍に設けられボディ筐体を第１姿勢で保持したときに把持される第１の把持部１１と、ボディ筐体の一側面に対して略直交する他側面近傍に設けられボディ筐体を第２姿勢で保持したときに把持される第２の把持部２１と、ボディ筐体の外表面上における各所定の位置に配設される複数の操作部材とを具備し、ボディ筐体の第１の把持部を把持して第１姿勢で保持した場合とボディ筐体の第２の把持部を把持して第２姿勢で保持した場合とで異なる機能が設定される。【選択図】図５
2020086371.tif 000002
【特許請求の範囲】
【請求項１】
長方形状の画像を取得する撮像装置において、
撮像光学系によって結像された光学像を受けて画像データを取得する撮像ユニットと、
少なくとも上記撮像ユニットを内部に収納するボディ筐体と、
上記ボディ筐体の一側面近傍に設けられ上記ボディ筐体を第１姿勢で保持したときに把持される第１の把持部と、
上記ボディ筐体の上記一側面に対して略直交する他側面近傍に設けられ、上記ボディ筐体を第２姿勢で保持したときに把持される第２の把持部と、
上記ボディ筐体の外表面上における各所定の位置に配設される複数の操作部材と、
を具備し、
上記ボディ筐体の上記第１の把持部を把持して上記第１姿勢で保持した場合と、上記ボディ筐体の上記第２の把持部を把持して上記第２姿勢で保持した場合とで、異なる機能が設定されることを特徴とする撮像装置。
【請求項２】
上記ボディ筐体の上記第１の把持部を把持して上記第１姿勢で保持した場合には、動画撮影モードが設定され、
上記ボディ筐体の上記第２の把持部を把持して上記第２姿勢で保持した場合には、静止画撮影モードが設定される
ことを特徴とする請求項１に記載の撮像装置。
【請求項３】
上記ボディ筐体の上記第１の把持部を把持して上記第１姿勢で保持した場合には、通常動画撮影モードが設定され、
上記ボディ筐体の上記第２の把持部を把持して上記第２姿勢で保持した場合には、切り出し動画撮影モードが設定される
ことを特徴とする請求項１に記載の撮像装置。
【請求項４】
撮像し得る全撮像領域のうちから一部の領域を切り出して横長矩形状の動画像データを生成し、
上記切り出された領域を明示する表示枠を表示し、
上記表示枠内に上記切り出し動画像データに基づくライブビュー画像を表示し、
操作指示信号に応じて上記表示枠を表示範囲内において上下方向に移動表示させる
ことを特徴とする撮像装置の制御方法。
【請求項５】
上記ボディ筐体の上記第１の把持部を把持して上記第１姿勢で保持した場合と、上記ボディ筐体の上記第２の把持部を把持して上記第２姿勢で保持した場合とで、記録画像のアスペクト比の設定値が異なる値に設定されることを特徴とする請求項１に記載の撮像装置。
【請求項６】
撮像装置の姿勢変化を検出し、
設定済みの各種設定を保持すると共に、複数の操作部材の機能を無効化し、
設定済みの各種設定が保持されている旨の表示若しくは上記複数の操作部材の機能を無効化している旨の警告を表示し、
姿勢変化の完了後に上記複数の操作部材の機能の無効化を解除して、
姿勢変化中の意図しない設定変更を防止することを特徴とする撮像装置の制御方法。
【請求項７】
撮像装置における第１姿勢と第２姿勢との間の姿勢変化が検出された場合には、
姿勢変化前の設定済みの各種設定を一時記憶し、
姿勢変化中に設定切り換え操作があったときには姿勢変化中の設定切り換えが生じた旨の警告を表示し、
姿勢変化完了後に姿勢変化前の各種設定を再設定して、
姿勢変化中の意図しない設定変更を防止することを特徴とする撮像装置の制御方法。
【請求項８】
上記第１の把持部と上記第２の把持部とを同時に把持して上記ボディ筐体を保持した場合には、画像編集モードに切り換わることを特徴とする請求項１に記載の撮像装置。
【請求項９】
上記複数の操作部材は、
上記ボディ筐体の背面において上記第１の把持部の近傍に配設される第１背面操作ダイヤル部材と、
上記ボディ筐体の背面において上記第２の把持部の近傍に配設される第２背面操作ダイヤル部材と、
を含み、
上記画像編集モードが設定されたときには、
上記第１背面操作ダイヤル部材は第１パラメータに関する調整操作を行う機能を有し、
上記第２背面操作ダイヤル部材は第２パラメータに関する調整操作を行う機能を有し、
上記第１背面操作ダイヤル部材と上記第２背面操作ダイヤル部材とは同時に操作し得ることを特徴とする請求項８に記載の撮像装置。
【請求項１０】
上記第１パラメータはフィルターエフェクトの強弱であり、
上記第２パラメータは明度若しくは色温度である
ことを特徴とする請求項９に記載の撮像装置。
【請求項１１】
上記第１パラメータは彩度であり、
上記第２パラメータは明度である
ことを特徴とする請求項９に記載の撮像装置。
【請求項１２】
上記第１パラメータは水平方向の台形歪みであり、
上記第２パラメータは垂直方向の台形歪みである
ことを特徴とする請求項９に記載の撮像装置。
【請求項１３】
撮像し得る全撮像領域のうちから一部の領域を切り出して横長矩形状の動画像データを生成し、
上記切り出された領域を明示する表示枠は、当該表示枠の中心位置と撮像光学系の光軸とを一致させた位置に表示し、
上記表示枠内に上記切り出し動画像データに基づくライブビュー画像を表示する
ことを特徴とする撮像装置の制御方法。
【請求項１４】
表示装置の表示画面を覆うように設けられる表示面拡大ファインダを、さらに具備し、
上記表示面拡大ファインダは、
上記表示装置の表示画面への外光を遮蔽する本体と、
上記表示枠を拡大観察する光学レンズと、
を具備して構成されていることを特徴とする請求項１に記載の撮像装置。
【発明の詳細な説明】
【技術分野】
【０００１】
この発明は、長方形状の画像を取得する撮像装置であって、複数の把持部を有する撮像装置と、この撮像装置の制御方法に関するものである。
【背景技術】
【０００２】
近年、撮像光学系により結像された光学像を撮像素子等の光電変換素子を用いて画像信号に変換し、取得された画像信号を所定の形態のデジタル画像データ（静止画像又は動画像のデジタルデータ）として半導体メモリ等の記憶媒体に記録し得るように構成されたいわゆるデジタルカメラ等の撮像装置が一般に実用化され広く普及している。
【０００３】
この種の撮像装置は、通常の場合、長方形状の画像を取得するように構成されている。この場合において、従来の撮像装置を用いて取得される長方形状の画像は、例えば、長辺を水平方向とし短辺を垂直方向とした形態のいわゆる「横長画像」とされるのが一般である。
【０００４】
したがって、従来の撮像装置の使用者（ユーザ）は、構図を決定する際には、撮影対象とする被写体の形態に応じて、若しくは撮影意図によって、「横長画像」とするか又は「縦長画像」とするかの選択を行う。この場合、「横長画像」を撮影する横位置撮影時と、「縦長画像」を撮影する縦位置撮影時とでは、撮像装置の姿勢を変える必要がある。
【０００５】
一方、従来のこの種の撮像装置においては、通常の場合、横位置撮影を行うのに最適となるように、装置表面上に配設する各種の操作部材の配置を工夫しているものが多い。
【０００６】
具体的には、例えば、撮像装置の一方の側面領域（主に右手で把持する領域）に、使用者が手のひらを用いて把持する把持部（グリップ部）を設け、この把持部の上面部位や前面部位，背面部位等の各所に各種の操作部材（シャッターリリースボタン，パラメータ値変更ダイヤル又はボタン等）を設けた構成としているものがある。さらに、撮像装置の前面におけるレンズ鏡筒装着部の周縁部近傍のうち把持部寄りの領域等にも、各種の操作部材を配置したものがある。
【０００７】
このような形態の撮像装置を手に持って使用する際には、使用者は、把持部を（主に右の）手のひらで把持することによって当該撮像装置を保持しつつ、当該把持部を把持する同じ（右）手の各指先を動かして、所望の操作部材を適宜のタイミングで操作する。
【０００８】
この場合において、従来の撮像装置においては、主に横位置撮影を行う際の姿勢を基準として、撮像装置を安定させて保持することができると同時に、当該装置を保持する同じ手の各指を用いて、無理せず違和感なく（人間工学に則して合理的に）、各操作部材の操作を行うことができるように、複数の操作部材の配置が工夫されている。これにより、横位置撮影を行うのに良好な操作性を得ることができる。
【０００９】
その一方で、同じ撮像装置を用いて縦位置撮影を行う場合には、上述したように、横位置撮影時とは異なる構え方になる。例えば、縦位置撮影時には、撮像装置の把持部を把持する（右）手を装置の上側若しくは下側に添えて当該撮像装置を保持するといったように、横位置撮影時とは異なる構え方になる。これと同時に、このような縦位置撮影時の構え方では、手指の不自然な動きを強いられることになることがある。したがって、従来構成の撮像装置を用いて縦位置撮影を行う際には、良好な操作性を得ることができないことがあった。
【００１０】
そこで、長方形状の画像を取得する撮像装置において、横位置撮影時と縦位置撮影時とのいずれの場合でも、把持部を把持し易くかつ安定した状態で装置を保持することができるように工夫した撮像装置が、例えば特開２０１８−４５１７８号公報等によって種々提案されている。
【００１１】
上記特開２０１８−４５１７８号公報等によって開示されている撮像装置は、前面から見た形状が正方形のカメラボディにおいて、カメラボディの中心に撮像光学系が位置しており、撮像光学系の光軸に水平及び垂直に直交する二軸に対してそれぞれ線対称となる位置にグリップ部が形成されている。そして、カメラボディを前面から見た場合に、円環状のグリップ部の中心に撮像光学系が位置している。さらに、シャッターリリーススイッチを作用させる操作部材を２つ設け、この２個の操作部材は光軸との直交軸に対して線対称となる位置にそれぞれ配置している。
【先行技術文献】
【特許文献】
【００１２】
【特許文献１】特開２０１８−４５１７８号公報
【発明の概要】
【発明が解決しようとする課題】
【００１３】
ところが、上記特開２０１８−４５１７８号公報等によって開示されている撮像装置においては、横位置撮影時用と縦位置撮影時用とのそれぞれに、専用のグリップ部及び専用のシャッタリリーススイッチを設けることについての構成が開示されているが、その他の操作部材については特に言及されていない。
【００１４】
したがって、シャッターリリーススイッチ以外の操作部材、例えば、撮像装置を用いての撮影中に、各種のパラメータ値を変更したり、変更したパラメータ値を反映させた表示画像を確認する等のために使用する操作部材を複数備え、より高度な撮影技術を必要とする形態のより複雑化した撮像装置に対しては、上記特開２０１８−４５１７８号公報等によって開示されている工夫を適用するだけでは足りない。
【００１５】
一方、従来の撮像装置に対して、既存の操作部材とは別に、同様の機能を有する縦位置撮影専用の複数の操作部材を、さらに配設することは、スペース的な問題から困難であった。
【００１６】
他方、近年においては、バッテリーパックを複数個収納可能に形成され、かつ縦位置撮影に適するように形成された把持部ユニット（バッテリーグリップ）を、撮像装置本体と一体に形成した形態、若しくは撮像装置本体に対して着脱自在に構成した形態として、複数の把持部を備えた撮像装置が種々実用化されている。なお、以下の説明においては、この種の形態の撮像装置について、例えばバッテリーグリップ一体型撮像装置などと呼称するものとする。
【００１７】
この種の形態の撮像装置、即ちバッテリーグリップ一体型の撮像装置においては、バッテリーパックを収納する部分を縦位置撮影用の把持部（縦位置グリップ）として形成することができることから、装置自体の表面積が増加する形態となるので、縦位置撮影専用の複数の操作部材を増設する余裕を確保することができる。
【００１８】
したがって、バッテリーグリップ一体型の撮像装置は、縦位置撮影時にも、横位置撮影時と同じような持ち方や構え方ができるようになると同時に、縦位置撮影時と横位置撮影時とで略同様の操作性を確保することができるようになる。ただし、このような構造とすることは、撮像装置の一構成例であって、本発明においては、必ずしもこのような構成が直接的に関係しているものではない。
【００１９】
また、近年の撮像装置は、ますます多機能化される傾向にあり、例えば、静止画像データのみならず動画像データの取得をも行うことができるのが普通になっていると共に、取得される画像データに対して、撮影時に同時に若しくは撮影後の取得済み画像データに対して様々な効果的な画像処理を施して、使用者の意図を反映した様々な形態の画像を得ることができるように工夫されている。
【００２０】
この場合において、各種の画像処理機能の選択設定や、選択された画像処理機能に関する所定のパラメータ設定等は、撮像装置の外面に設けられる複数の操作部材を使用して所定の設定指示操作を行ったり、又は設定メニュープログラムによって所望の設定指示操作を行うことになる。
【００２１】
しかしながら、撮像装置の多機能化に伴って、当該装置において設定することのできる機能が多くなっている上に、複数種類の機能同士を組み合わせて設定を行うこともできるようになっているので、それらの設定を複数の操作部材や設定メニューから順に操作することは、使用者にとって負担となりつつある。
【００２２】
そこで、各種の機能の設定切り換えや、各種のパラメータ設定等を、より簡単な操作で実現し得るような構成が求められている。
【００２３】
本発明は、上述した点に鑑みてなされたものであって、その目的とするところは、長方形状の画像を取得する撮像装置であって、複数の把持部を有する撮像装置において、所望の機能を設定したり切り換え設定等を行う際の設定操作の簡易化を実現し、良好な操作性を備えた撮像装置と、この撮像装置の制御方法を提供することである。
【課題を解決するための手段】
【００２４】
上記目的を達成するために、本発明の一態様の撮像装置は、長方形状の画像を取得する撮像装置において、撮像光学系によって結像された光学像を受けて画像データを取得する撮像ユニットと、少なくとも上記撮像ユニットを内部に収納するボディ筐体と、上記ボディ筐体の一側面近傍に設けられ上記ボディ筐体を第１姿勢で保持したときに把持される第１の把持部と、上記ボディ筐体の上記一側面に対して略直交する他側面近傍に設けられ、上記ボディ筐体を第２姿勢で保持したときに把持される第２の把持部と、上記ボディ筐体の外表面上における各所定の位置に配設される複数の操作部材と、を具備し、上記ボディ筐体の上記第１の把持部を把持して上記第１姿勢で保持した場合と、上記ボディ筐体の上記第２の把持部を把持して上記第２姿勢で保持した場合とで、異なる機能が設定される。
【００２５】
また、本発明の一態様の撮像装置の制御方法は、撮像し得る全撮像領域のうちから一部の領域を切り出して横長矩形状の動画像データを生成し、上記切り出された領域を明示する表示枠を表示し、上記表示枠内に上記切り出し動画像データに基づくライブビュー画像を表示し、操作指示信号に応じて上記表示枠を表示範囲内において上下方向に移動表示させる。
【００２６】
本発明の他の一態様の撮像装置の制御方法は、撮像装置の姿勢変化を検出し、設定済みの各種設定を保持すると共に、複数の操作部材の機能を無効化し、設定済みの各種設定が保持されている旨の表示若しくは上記複数の操作部材の機能を無効化している旨の警告を表示し、姿勢変化の完了後に上記複数の操作部材の機能の無効化を解除して、姿勢変化中の意図しない設定変更を防止する。
【００２７】
本発明の別の一態様の撮像装置の制御方法は、撮像装置における第１姿勢と第２姿勢との間の姿勢変化が検出された場合には、姿勢変化前の設定済みの各種設定を一時記憶し、姿勢変化中に設定切り換え操作があったときには姿勢変化中の設定切り換えが生じた旨の警告を表示し、姿勢変化完了後に姿勢変化前の各種設定を再設定して、姿勢変化中の意図しない設定変更を防止する。
【００２８】
本発明のさらに別の一態様の撮像装置の制御方法は、撮像し得る全撮像領域のうちから一部の領域を切り出して横長矩形状の動画像データを生成し、上記切り出された領域を明示する表示枠は、当該表示枠の中心位置と撮像光学系の光軸とを一致させた位置に表示し、上記表示枠内に上記切り出し動画像データに基づくライブビュー画像を表示する。
【発明の効果】
【００２９】
本発明によれば、長方形状の画像を取得する撮像装置であって、複数の把持部を有する撮像装置において、所望の機能を設定したり切り換え設定等を行う際の設定操作の簡易化を実現し、良好な操作性を備えた撮像装置と、この撮像装置の制御方法を提供することができる。
【図面の簡単な説明】
【００３０】
【図１】本発明の一実施形態の撮像装置の前面の平面図
【図２】本発明の一実施形態の撮像装置の背面の平面図
【図３】本発明の一実施形態の撮像装置の右側面の平面図
【図４】本発明の一実施形態の撮像装置の底面の平面図
【図５】本発明の一実施形態の撮像装置の電気的な内部構成の概略を示すブロック構成図
【図６】本発明の一実施形態の撮像装置の作用の流れを概略的に示すフローチャートのうちの一部（前段部）のフローチャート
【図７】本発明の一実施形態の撮像装置の作用の流れを概略的に示すフローチャートのうちの一部（中段部）のフローチャート
【図８】本発明の一実施形態の撮像装置の作用の流れを概略的に示すフローチャートのうちの一部（後段部）のフローチャート
【図９】図７のステップＳ５４の処理（モード設定，撮像パラメータ調節制御処理）の詳細を示すフローチャート
【図１０】本発明の一実施形態の撮像装置の作用の流れの変形例のフローチャート
【図１１】本発明の一実施形態の撮像装置を第１姿勢で使用している様子を示す概念図
【図１２】図１１の状態（第１姿勢）から撮像装置を第２姿勢へと持ち替える途中の様子を示す概念図
【図１３】図１２の状態を経て撮像装置の持ち替え動作が完了した後、撮像装置を第２姿勢で使用している様子を示す概念図
【図１４】本発明の一実施形態の撮像装置における設定保持表示処理による表示例を示す図
【図１５】本発明の一実施形態の撮像装置において実行される画面中央領域切り出し処理と切り出し位置上下移動処理を説明する概念図
【図１６】本発明の一実施形態の撮像装置の画像編集モードにおいて記録済み画像データに対し二つの操作部材（第１リアダイヤルと第２リアダイヤル）を同時に使用して編集処理を行う際の様子を示す概念図
【図１７】本発明の一実施形態の撮像装置が変形例の動作モードで動作している場合において撮像装置が第１姿勢とされた際の背面側の平面図
【図１８】図１７の撮像装置を上面側から見た平面図
【図１９】図１７の撮像装置を第２姿勢とした時のようすを示す背面側の平面図
【図２０】図１８の状態の撮像装置に表示面拡大ファインダを取り付けた状態を示す平面図
【図２１】図２０の状態の撮像装置を右側面から見た平面図
【発明を実施するための形態】
【００３１】
以下、図示の実施の形態によって本発明を説明する。以下の説明に用いる各図面は模式的に示すものであり、各構成要素を図面上で認識できる程度の大きさで示すために、各部材の寸法関係や縮尺等を構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００３２】
本発明の一実施形態は、例えば撮像光学系により結像された光学像を、例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等（以下、撮像素子という）を用いて順次光電変換し、これにより得られた画像信号を所定の形態の画像データ（例えば静止画像又は動画像を表わすデジタル画像データ）として記憶媒体に記録すると共に、この記憶媒体に記録されたデジタル画像データに基いて静止画像又は動画像を再生表示する画像表示装置、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等を備えて構成された撮像装置、例えばデジタルカメラやビデオカメラ等を例示するものである。
【００３３】
なお、本実施形態においては、撮像装置の各面については以下のように定義する。撮像装置の使用時において被写体に対向する面を前面というものとする。また、撮像装置の使用時に使用者（ユーザ）が対面する面を背面というものとする。そして、撮像装置に設けられる複数の操作部材のうち、例えば電子ビューファインダーが配設されている部位に近い面を上面というものとする。さらに、撮像装置の上面に対向する面を底面というものとする。また、撮像装置の通常の使用姿勢（横位置撮影時の姿勢）で両側に配置される面を左側面及び右側面というものとする。この場合における左右の判別は、使用者が撮像装置の背面に向かって見たときの左側又は右側をそれぞれ左又は右として区別するものとする。
【００３４】
また、本実施形態において、撮像光学系の光軸を符号Ｏで表す。この光軸Ｏに沿う方向において、撮像装置の前面に対向する被写体のある側を前方というものとし、撮像措置の背面側に配置される表示装置のある側を後方というものとする。
【００３５】
［一実施形態］
まず、本発明の一実施形態の撮像装置の概略構成を、図１〜図５を用いて以下に説明する。
【００３６】
以下に説明する本実施形態の撮像装置は、撮像装置本体に対してレンズ鏡筒ユニットが着脱自在に構成される形態のいわゆるレンズ交換式撮像装置として例示している。しかしながら、本発明を適用し得る撮像装置の形態としては、この種のレンズ交換式撮像装置に限られることはない。例えば、撮像装置本体とレンズ鏡筒ユニットとが一体に設けられる形態のいわゆるレンズ一体式撮像装置に対しても、全く同様に適用することができる。
【００３７】
図１〜図５は、本発明の一実施形態の撮像装置を示す図である。このうち、図１は本発明の一実施形態の撮像装置の前面の平面図である。図２は本実施形態の撮像装置の背面の平面図である。図３は本実施形態の撮像装置の右側面の平面図である。図４は本実施形態の撮像装置の底面の平面図である。図５は本実施形態の撮像装置の電気的な内部構成の概略を示すブロック構成図である。
【００３８】
なお、図１，図３においては、撮像装置の前面に配設される複数の操作部材（詳細後述）を明示するために、当該撮像装置の前面に着脱自在に若しくは一体に装着されるレンズ鏡筒ユニットの図示を省略している。
【００３９】
本実施形態の撮像装置１は、図１〜図５に示すように、ボディ筐体１０と、このボディ筐体１０の外表面上の所定の部位にそれぞれ配設される各種の構成部材（図１〜図４等参照）と、当該ボディ筐体１０の内部の所定の部位にそれぞれ配設される各種の構成部材（図５参照）等によって構成されている。
【００４０】
ボディ筐体１０は、本撮像装置１の基本構造体であって、本撮像装置１を構成する各種の構成ユニットの外部を覆うように構成され、かつ内部空間には、それらの各種構成ユニットが収納される筐体である。ボディ筐体１０は、正面から見て略正方形状に近い形状に形成されている。なお、図１〜図４では図示を省略しているが、ボディ筐体１０の前面には、レンズ鏡筒ユニットが装着されている。
【００４１】
ボディ筐体１０の外表面上には、所定の部位に各種の構成部材が配設されている（図１〜図４参照）。例えば、ボディ筐体１０の外表面には、第１グリップ１１（第１把持部）と、第２グリップ２１（第２把持部）と、複数の操作部材（１２〜１８，２２〜２８，３３）と、マウントリング３２と、電子ビューファインダー（ＥＶＦ）３４と、背面モニター３５等が配設されている。
【００４２】
第１グリップ１１は、ボディ１０の一側面近傍に設けられ、横位置撮影時に使用者が右手で把持する第１の把持部である。ここで、撮像装置１の横位置撮影時の姿勢を通常使用時の基準姿勢とする。そして、この通常使用時の基準姿勢（横位置撮影時の姿勢）を、以下の説明においては、第１姿勢というものとする。この第１姿勢は、撮像装置１の上面を上側に、底面を下側に配置した状態となる（図１参照）。
【００４３】
つまり、第１グリップ１１は、撮像装置１を第１姿勢としたときに、当該撮像装置１の背面から見て右側面寄りの一側面近傍に配設されている。
【００４４】
ここで、第１グリップ１１は、全体として当該撮像装置１の前面から前方へ向けて突出するように形成されている。さらに、第１グリップ１１の前面側において、上面寄りの所定の領域（図１，図３の符号Ａ１参照）は、それ以外の領域（図１，図３の符号Ｂ１参照）における上面寄りの部位に対して前方に突出するように形成されている。
【００４５】
この構成により、第１グリップ１１は、撮像装置１の前面側において、上面寄りの所定の領域Ａ１と、それ以外の領域Ｂ１との間で第１段差部１１ａが形成されている。この第１段差部１１ａは、詳細は後述するが、使用者が第１グリップ１１を右手で把持したときに、当該右手の中指の付け根近傍から第二，第三関節近傍が当接して当該撮像装置１の保持状態を維持するための第１前面支持部として機能する部位である。
【００４６】
また、第１グリップ１１は、撮像装置１の背面において、右側縁部のやや上面寄りの所定の領域（図２，図３の符号Ｃ１参照）に、後方に向けて突出する第１背面突出部である第１サムグリップ１１ｂが形成されている。ここで、当該第１サムグリップ１１ｂは、図３に示すように、撮像装置１の上面から底面に向けてなだらかに下降傾斜する傾斜面１１ｂｂを有して形成されている。この第１サムグリップ１１ｂは、詳細は後述するが、使用者が第１グリップ１１を右手で把持したときに、当該右手の親指の付け根近傍から第二関節近傍が当接して当該撮像装置１の保持状態を維持するための第１背面支持部として機能する部位である。
【００４７】
このように、第１グリップ１１を右手で把持して行う際の撮影が横位置撮影となり、このときの撮像装置１の姿勢が第１姿勢である。
【００４８】
第２グリップ２１は、ボディ１０の一側面に対して略直交する他側面近傍に設けられ、内部にバッテリーパックを複数個収納可能に形成され、縦位置撮影時に使用者が右手で把持する第２の把持部として機能するいわゆるバッテリーグリップの形態に形成されている部位である。そのために、第２グリップ２１は、第１グリップ１１よりも奥行き方向（前後方向）における幅寸法が若干幅広となるように形成されている。ただし、第２グリップ２１は、バッテリーパックが内蔵されない構成としてもよい。その場合には、バッテリーパックは第１グリップ１１に収納する設計にすればよい。また、バッテリーパックは第１グリップ１１又は第２グリップ２１のいずれか一方に収納する構成としてもよいし、両グリップ１１，２１のいずれにも収納する構成としてもよい。
【００４９】
ここで、撮像装置１の縦位置撮影時の姿勢は、第１グリップ１１が上側に配置される姿勢であって、上記第１姿勢に対して光軸Ｏ周りに角度略９０度回転した姿勢である。そして、このときの姿勢を、以下の説明においては、第２姿勢というものとする。この第２姿勢は、撮像装置１の右側面を上側に左側面を下側に配置した状態である。
【００５０】
なお、以下の説明では、当該撮像装置１が図１に示す第１姿勢の状態にあるものとして、上下左右を示すものとする。
【００５１】
第２グリップ２１は、撮像装置１を第１姿勢としたときに、当該撮像装置１の背面から見て底面（右側面に対して略直交する他側面）近傍に配設されている（図１，図２参照）。換言すると、第２グリップ２１は、撮像装置１を第２姿勢としたときには、当該撮像装置１の背面から見て右側面近傍に配設されている。
【００５２】
ここで、第２グリップ２１は、第１グリップ１１と略同様に、全体として当該撮像装置１の前面から前方へ向けて突出するように形成されている。さらに、第２グリップ２１は、撮像装置１の前面側において、第１姿勢にあるときの底面寄りの所定の領域（図１，図４の符号Ａ２参照）が、それ以外の領域（図１，図４の符号Ｂ２参照）における（背面から見て）右寄りの部位に対して前方に突出するように形成されている。
【００５３】
この構成により、第２グリップ２１は、撮像装置１の前面側において、第１姿勢にあるときの底面寄りの所定の領域Ａ２と、それ以外の領域Ｂ２との間に、第２段差部２１ａが形成されている。この第２段差部２１ａは、詳細は後述するが、使用者が第２グリップ２１を右手で把持したときに、上記第１グリップ１１と同様に、当該右手の中指の付け根近傍から第二，第三関節近傍が当接して当該撮像装置１の保持状態を維持するための第２前面支持部として機能する部位である。
【００５４】
また、第２グリップ２１は、撮像装置１の背面において、底面縁部のやや右側面寄りの所定の領域（図２，図４の符号Ｃ２参照）に、後方に向けて突出する第２背面突出部である第２サムグリップ２１ｂが形成されている。ここで、当該第２サムグリップ２１ｂは、図４に示すように、撮像装置１の第２姿勢にあるときの上側から下側に向けてなだらかに下降傾斜する傾斜面２１ｂｂを有して形成されている。この第２サムグリップ２１ｂは、詳細は後述するが、使用者が第２グリップ２１を右手で把持したときに、当該右手の親指の付け根近傍から第二関節近傍が当接して当該撮像装置１の保持状態を維持するための第２背面支持部として機能する部位である。
【００５５】
このように、第２グリップ２１を右手で把持して行う際の撮影が縦位置撮影となり、このときの撮像装置１の姿勢が第２姿勢である。
【００５６】
ボディ筐体１０の外表面上に設けられる構成部材のうちマウントリング３２は、当該ボディ筐体１０に対してレンズ鏡筒ユニット（不図示）を装着するための連結部材である。このマウントリング３２は、図１に示すように、ボディ筐体１０の前面側の略中央部近傍に形成される前面開口１０ａの周縁部に配設されている。
【００５７】
なお、ボディ筐体１０の前面開口１０ａは、当該撮像装置１の前方にある被写体からの光束をレンズ鏡筒ユニットの撮像光学系（不図示）を介してボディ筐体１０の内部に設けられる撮像素子３１の受光面へと入射させるための開口である。そのために当該前面開口１０ａによって露呈される当該撮像装置１のボディ筐体１０の内部には、撮像素子３１が、その受光面を前方に向けて配設されている。
【００５８】
また、ボディ筐体１０の外表面上に設けられる構成部材のうち電子ビューファインダー（ＥＶＦ；Electronic View Finder）３４及び背面モニター３５は、撮像素子３１を含む撮像ユニットである撮像ユニット４１（後述；図５参照）によって取得される画像データに基く画像を表示する表示装置である。また、電子ビューファインダー３４及び背面モニター３５は、これら画像データに基づく画像の表示に加えて、当該表示画像に重畳させて、当該表示中の画像データに関連する関連情報も表示する。さらに、電子ビューファインダー３４及び背面モニター３５は、各種の設定プログラムが起動される設定モード時には、設定メニューの一覧表示を行う。
【００５９】
このうち、電子ビューファインダー３４は、例えば比較的小型の（例えば０．５型程度の）表示パネルを備え、拡大光学系を介して使用者が覗き込む形態に構成される表示装置である。また、背面モニター３５は、例えば撮像装置１の背面部に固定若しくは可動自在に設けられ、比較的大型の（例えば３型程度の）表示パネルを備えて構成される表示装置である。
【００６０】
電子ビューファインダー３４及び背面モニター３５は、例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ，プラズマディスプレイ（ＰＤＰ；Plasma Display）等の表示パネルと、それらの駆動回路等を含んで構成されている。
【００６１】
なお、電子ビューファインダー３４及び背面モニター３５は、いずれも、略同等の機能を有する構成ユニットである。したがって、撮像装置１の使用時には、電子ビューファインダー３４及び背面モニター３５のいずれか一方が選択されて使用され、適宜切り換えて使用することができるように構成されている。
【００６２】
また、背面モニター３５には、表示パネルの表示面上に操作部材としてのタッチパネルを設けて構成してもよい。ここで、タッチパネル（不図示）は、背面モニター３５の表示パネルの表示面上に配置されて、使用者が表示パネルに表示中の画像に対応する所定領域や各種アイコン表示に相当する領域等に対してタッチ操作やスライド操作，ピンチ操作，スワイプ操作，フリック操作等を行って、各種の操作指示信号を発生するよう構成された操作部材である。このタッチパネルからの指示入力信号は、例えば制御部４２（後述；図５参照）へと送られて対応する指示信号に応じた処理や制御が実行される。
【００６３】
本実施形態の撮像装置１のボディ筐体１０の外表面上に設けられる複数の操作部材は、第１シャッターボタン１２，第２シャッターボタン２２と、第１フロントダイヤル１３，第２フロントダイヤル２３と、第１フロントＡボタン１４，第２フロントＡボタン２４と、第１フロントＢボタン１５，第２フロントＢボタン２５と、第１リアボタン１６，第２リアボタン２６と、第１リアダイヤル１７，第２リアダイヤル２７と、第１ジョイスティック１８，第２ジョイスティック２８と、レンズ取り外しボタン３３等がある。
【００６４】
なお、本撮像装置１に設けられる操作部材としては、上述したもの以外にも存在するが、それらは、本発明に直接関連しない部材であるので、それらの詳細説明は省略する。
【００６５】
これらの操作部材のうち、第１シャッターボタン１２，第２シャッターボタン２２は、撮像動作の開始を指示する指示信号（自動露出開始信号，自動焦点調節信号，シャッターリリース信号等）を発生させる操作部材である。これら第１シャッターボタン１２，第２シャッターボタン２２は、例えば押圧操作式の操作部材（押しボタン部材）が適用される。
【００６６】
第１フロントダイヤル１３，第２フロントダイヤル２３及び第１リアダイヤル１７，第２リアダイヤル２７は、設定されている動作モードに関連するパラメータ値を変更指示する指示信号（ＡＦターゲット選択設定，露出補正設定，ＩＳＯ感度設定，ホワイトバランス設定，マルチファンクション設定（ハイライト＆シャドウコントロール，カラークリエーター，拡大，アスペクト比設定の切り換え），フリッカースキャン設定，ＮＤフィルター設定，シャッター速度値設定，絞り値設定等）を発生させる操作部材である。これら第１フロントダイヤル１３，第２フロントダイヤル２３及び第１リアダイヤル１７，第２リアダイヤル２７は、例えば回転式の操作部材（回転ダイヤル部材）が適用される。
【００６７】
第１フロントＡボタン１４，第２フロントＡボタン２４及び第１フロントＢボタン１５，第２フロントＢボタン２５は、所定の設定動作（露出補正設定，ＩＳＯ感度設定，ホワイトバランス設定，ＡＦホームポジション動作（ＡＦターゲットを規定位置に戻す動作），画質設定切換動作（ＲＡＷ＋ＪＰＥＧ設定とＪＰＥＧ設定との切換動作），試し撮り動作（記録を伴わない撮影動作），デジタルテレコン動作，デジタルシフト動作，フィッシュアイ補正動作，表示拡大動作，ＨＤＲ撮影動作，ブラケット撮影動作（ＡＥ，ＷＢ，ＦＬ，ＩＳＯ，ＡＲＴ），ピーキング表示，水準器表示，ＯＶＦシミュレーション表示，モニタ切換動作，ＡＦリミッター切換動作，手振れ補正動作，プレビュー動作等）の開始又は解除の切り換え（オンオフ切り換え）を指示する指示信号を発生させる操作部材である。
【００６８】
このように、これら第１フロントＡボタン１４，第２フロントＡボタン２４及び第１フロントＢボタン１５，第２フロントＢボタン２５には、各種の機能を割り当てることができる。そして、これら第１フロントＡボタン１４，第２フロントＡボタン２４及び第１フロントＢボタン１５，第２フロントＢボタン２５は、例えば押圧操作式の操作部材（押しボタン部材）が適用される。
【００６９】
第１リアボタン１６，第２リアボタン２６は、主にＡＥ（自動露出設定）ロック及びＡＦ（オートフォーカス）ロックのオンオフ切り換えを行う指示信号を発生させる操作部材である。これら第１リアボタン１６，第２リアボタン２６は、押圧操作式の操作部材（押しボタン部材）が適用される。なお、第１リアボタン１６，第２リアボタン２６は、基本設定によって、その他の機能を割り当てることも可能である。
【００７０】
第１ジョイスティック１８，第２ジョイスティック２８は、固定面（ボディ筐体１０の背面）に対して傾倒動作可能に軸支された軸状部材を、支持軸周りに傾倒操作することによって、二次元平面上の位置情報を入力すると共に、設定した情報を押圧操作にて決定する操作部材である。この第１ジョイスティック１８，第２ジョイスティック２８は、例えばフォーカスポイントの選択操作等に用いられる。これら第１ジョイスティック１８，第２ジョイスティック２８も、基本設定によって、その他の機能を割り当てることが可能である。
【００７１】
なお、上述した各操作部材については、撮像装置１が撮影動作モードにあるときと、再生動作モードにあるときとでは、異なる機能が割り当てられている場合がある。
【００７２】
また、レンズ取り外しボタン３３は、当該撮像装置１のボディ筐体１０の前面開口１０ａのマウントリング３２に対して装着状態にあるレンズ鏡筒ユニット（不図示）を取り外す際に、装着係止状態を解除するための操作部材である。このレンズ取り外しボタン３３は、前面開口１０ａの周縁部近傍に配設されている。
【００７３】
上述した複数の操作部材のうち、第１シャッターボタン１２，第２シャッターボタン２２と、第１フロントダイヤル１３，第２フロントダイヤル２３と、第１リアボタン１６，第２リアボタン２６と、第１リアダイヤル１７，第２リアダイヤル２７とは、第１グリップ１１及び第２グリップ２１のそれぞれの表面上において、各所定の位置にそれぞれ配設されている。
【００７４】
ここで、第１シャッターボタン１２と、第１フロントダイヤル１３と、第１リアボタン１６と、第１リアダイヤル１７とは、第１グリップ１１における領域Ａ１（図１，図３参照）の範囲内に設けられている。このような配置により、これらの操作部材（１２，１３，１６，１７）は、本撮像装置１を第１姿勢とする通常の横位置撮影時に、使用者が主に右手の指を用いて操作する操作部材となっている。
【００７５】
具体的には、第１シャッターボタン１２と第１フロントダイヤル１３とは、第１グリップ１１における領域Ａ１のうち主に上面側若しくは前面側の所定の領域に配設されている。この場合において、第１シャッターボタン１２と第１フロントダイヤル１３とは、主に使用者の右手の人差し指を用いて操作される。
【００７６】
そのために、第１シャッターボタン１２と第１フロントダイヤル１３とは、第１グリップ１１の領域Ａ１における上面側若しくは前面側領域のうち、第１グリップ１１を右手で把持した状態のときに、同右手の人差し指が届く範囲内の領域に配設されている。特に、第１シャッターボタン１２及び第１フロントダイヤル１３は、使用者が第１グリップ１１を右手で把持した状態で、同右手人差し指が無理なく自然に動かして操作することのできる範囲内に配設されている。
【００７７】
一方、第１リアボタン１６と第１リアダイヤル１７とは、第１グリップ１１における領域Ａ１のうち主に背面の所定の領域に配設されている。この場合において、第１リアボタン１６と第１リアダイヤル１７とは、主に使用者の右手の親指を用いて操作される。
【００７８】
そのために、第１リアボタン１６と第１リアダイヤル１７とは、第１グリップ１１の領域Ａ１における背面領域のうち、第１グリップ１１を右手を用いて把持した状態のときに、同右手の親指が届く範囲内の領域に配設されている。特に、第１リアボタン１６及び第１リアダイヤル１７は、使用者が第１グリップ１１を右手で把持した状態で、同右手親指が無理なく自然に動かして操作することのできる範囲内に配設されている。これにより、第１リアボタン１６及び第１リアダイヤル１７とを第１背面操作部材というものとする。  また、第２シャッターボタン２２と、第２フロントダイヤル２３と、第２リアボタン２６と、第２リアダイヤル２７とは、第２グリップ２１における領域Ａ２（図１，図４参照）の範囲内に設けられている。このような配置により、これらの操作部材（２２，２３，２６，２７）は、本撮像装置１を第２姿勢とする縦位置撮影時に、使用者が主に右手の指を用いて操作する操作部材となっている。
【００７９】
具体的には、第２シャッターボタン２２と第２フロントダイヤル２３とは、第２グリップ２１における領域Ａ２のうち主に上面側若しくは前面側の所定の領域に配設されている。この場合において、第２シャッターボタン２２と第２フロントダイヤル２３とは、主に使用者の右手の人差し指を用いて操作される。
【００８０】
そのために、第２シャッターボタン２２と第２フロントダイヤル２３とは、第２グリップ２１の領域Ａ２における上面側若しくは前面側領域のうち、第２グリップ２１を右手で把持した状態のときに、同右手の人差し指が届く範囲内の領域に配設されている。特に、第２シャッターボタン２２及び第２フロントダイヤル２３は、使用者が第２グリップ２１を右手で把持した状態で、同右手人差し指が無理なく自然に動かして操作することのできる範囲内に配設されている。
【００８１】
このように、第１シャッターボタン１２と第２シャッターボタン２２とは同じ機能を有しており、かつ、第１姿勢にあるときの第１シャッターボタン１２と、第２姿勢にあるときの第２シャッターボタン２２とは、ボディ筐体１０の表面上において略同様の形態となるように配置されている。
【００８２】
同様に、第１フロントダイヤル１３と第２フロントダイヤル２３とに同じ機能を割り当てれば、第１姿勢にあるときの第１フロントダイヤル１３と、第２姿勢にあるときの第２フロントダイヤル２３とは、ボディ筐体１０の表面上において略同様の形態となるように配置されているので、縦位置撮影時と横位置撮影時とで操作性を略同様にすることができる。
【００８３】
一方、第２リアボタン２６と第２リアダイヤル２７とは、第２グリップ２１における領域Ａ２のうち主に背面の所定の領域に配設されている。この場合において、第２リアボタン２６と第２リアダイヤル２７とは、主に使用者の右手の親指を用いて操作される。
【００８４】
そのために、第２リアボタン２６と第２リアダイヤル２７とは、第２グリップ２１の領域Ａ２における背面領域のうち、第２グリップ２１を右手を用いて把持した状態のときに、同右手の親指が届く範囲内の領域に配設されている。特に、第２リアボタン２６及び第２リアダイヤル２７は、使用者が第２グリップ２１を右手で把持した状態で、同右手親指が無理なく自然に動かして操作することのできる範囲内に配設されている。これにより、第２リアボタン２６及び第２リアダイヤル２７とを第２背面操作部材というものとする。
【００８５】
このように、第１リアボタン１６と第２リアボタン２６とに同じ機能を割り当てれば、第１姿勢にあるときの第１リアボタン１６と、第２姿勢にあるときの第２リアボタン２６とは、ボディ筐体１０の表面上において略同様の形態となるように配置されるので、縦位置撮影時と横位置撮影時とで操作性を略同様にすることができる。
【００８６】
同様に、第１リアダイヤル１７と第２リアダイヤル２７とに同じ機能を割り当てれば、第１姿勢にあるときの第１リアダイヤル１７と、第２姿勢にあるときの第２リアダイヤル２７とはボディ筐体１０の表面上において略同様の形態となるように配置されるので、縦位置撮影時と横位置撮影時とで操作性を略同様にすることができる。
【００８７】
次に、第１フロントＡボタン１４及び第２フロントＡボタン２４と、第１フロントＢボタン１５及び第２フロントＢボタン２５と、レンズ取り外しボタン３３とは、ボディ筐体１０の前面において、前面開口１０ａの周縁部近傍にそれぞれ配設されている。
【００８８】
ここで、レンズ取り外しボタン３３は、前面開口１０ａの周縁部近傍において、第１グリップ１１が設けられている側とは反対側の領域に配設されている。
【００８９】
一方、第１フロントＡボタン１４と第１フロントＢボタン１５とは、前面開口１０ａの周縁部（レンズ鏡筒装着部の周縁部）近傍のうち、第１グリップ１１近傍の領域にそれぞれ配設されている（図１参照）。このような配置により、第１フロントＡボタン１４と第１フロントＢボタン１５とは、本撮像装置１を第１姿勢とする通常の横位置撮影時に、使用者が主に右手の指を用いて操作する操作部材となっている。これにより、第１フロントＡボタン１４と第１フロントＢボタン１５とを第１前面操作部材というものとする。
【００９０】
そして、この場合において、第１フロントＡボタン１４と第１フロントＢボタン１５とは、第１グリップ１１を把持する右手の中指及び薬指を用いて操作される。そのために、第１フロントＡボタン１４と第１フロントＢボタン１５とは、第１グリップ１１を右手を用いて把持した状態のときに、ボディ筐体１０の前面において、同右手の中指及び薬指が届く範囲内の領域に配設されている。
【００９１】
他方、第２フロントＡボタン２４と第２フロントＢボタン２５とは、前面開口１０ａの周縁部（レンズ鏡筒装着部の周縁部）近傍のうち、第２グリップ２１近傍の領域にそれぞれ配設されている（図１参照）。このような配置により、第２フロントＡボタン２４と第２フロントＢボタン２５とは、本撮像装置１を第２姿勢とする縦位置撮影時に、使用者が主に右手の指を用いて操作する操作部材となっている。これにより、第２フロントＡボタン２４と第２フロントＢボタン２５とを第２前面操作部材というものとする。
【００９２】
そして、この場合において、第２フロントＡボタン２４と第２フロントＢボタン２５とは、第２グリップ２１を把持する右手の中指及び薬指を用いて操作される。そのために、第２フロントＡボタン２４と第２フロントＢボタン２５とは、第２グリップ２１を右手を用いて把持した状態のときに、ボディ筐体１０の前面において、同右手の中指及び薬指が届く範囲内の領域に配設されている。
【００９３】
このように、第１フロントＡボタン１４と第２フロントＡボタン２４とに同じ機能を割り当てれば、第１姿勢にあるときの第１フロントＡボタン１４と、第２姿勢にあるときの第２フロントＡボタン２４とは、ボディ筐体１０の表面上において略同様の形態となるように配置されることになる。
【００９４】
同様に、第１フロントＢボタン１５と第２フロントＢボタン２５とに同じ機能を割り当てれば、第１姿勢にあるときの第１フロントＢボタン１５と、第２姿勢にあるときの第２フロントＢボタン２５とは、ボディ筐体１０の表面上において略同様の形態となるように配置されることになる。
【００９５】
次に、第１ジョイスティック１８は、ボディ筐体１０の背面において、第１グリップ１１の第１サムグリップ１１ｂの近傍（領域Ｃ１近傍）に配設されている（図２参照）。このような配置により、第１ジョイスティック１８は、本撮像装置１を第１姿勢とする通常の横位置撮影時に、使用者が右手の親指を用いて操作する操作部材となっている。そのために、第１ジョイスティック１８は、第１グリップ１１を右手を用いて把持した状態のときに、ボディ筐体１０の背面において、同右手の親指が無理なく届く範囲内の領域に配設されている。これにより、第１ジョイスティック１８も第１背面操作部材に含まれるものとする。
【００９６】
第２ジョイスティック２８は、ボディ筐体１０の背面において、第２グリップ２１の第２サムグリップ２１ｂの近傍（領域Ｃ２近傍）に配設されている（図２参照）。このような配置により、第２ジョイスティック２８は、本撮像装置１を第２姿勢とする縦位置撮影時に、使用者が右手の親指を用いて操作する操作部材となっている。そのために、第２ジョイスティック２８は、第２グリップ２１を右手を用いて把持した状態のときに、ボディ筐体１０の背面において、同右手の親指が無理なく届く範囲内の領域に配設されている。これにより、第２ジョイスティック２８も第２背面操作部材に含まれるものとする。
【００９７】
次に、本実施形態の撮像装置１の電気的な内部構成の概略を、図５を用いて以下に簡単に説明する。
【００９８】
図５に示すように、本実施形態の撮像装置１は、撮像ユニット４１と、制御部４２と、操作部４３と、通信部４４と、記録部４５と、姿勢検出部４６と、電源部４７と、電子ビューファインダー（ＥＶＦ）３４及び背面モニター３５等を有して構成されている。
【００９９】
撮像ユニットである撮像ユニット４１は、撮像光学系４８と、撮像素子３１等を含んで構成される構成ユニットである。ここで、撮像光学系４８は、撮像対象物（被写体）からの光を透過させて、当該被写体の光学像を結像させる複数の光学レンズ等によって構成される構成ユニットである。この撮像光学系４８は、レンズ鏡筒ユニット３６（後述；図１１等参照）に含まれている。
【０１００】
なお、図５においては、撮像光学系４８と撮像素子３１とを同一ブロックとして図示しているが、撮像光学系４８と撮像素子３１とは、別体の構成ユニットとして構成されていてもよい。例えば撮像光学系４８は、ボディ筐体１０とは別体に構成され、当該ボディ筐体１０に対し着脱自在に形成されるレンズ鏡筒ユニットに含めて構成する一方、撮像素子３１は、ボディ筐体１０の内部に配設するといった構成、即ちレンズ交換式撮像装置等が考えられる。
【０１０１】
撮像素子３１は、撮像光学系４８によって結像された被写体像を受光して光電変換処理を行い、所定の画像信号を取得する電子部品である。当該撮像素子３１によって取得される画像信号に基づいて表示される画像は長方形状の画像である。なお、撮像素子３１によって取得される画像信号に基づいて表示される画像を長方形状としているが、これは、当該撮像素子３１の全有効画像領域を利用した場合の例であり、取得画像領域に対し適宜、トリミングなどの画像処理を施すことにより、他の形状の画像（例えば正方形画像，円形画像等）を得ることは可能である。
【０１０２】
この撮像素子３１は、例えばＣＣＤ（Charge Coupled Device；電荷結合素子）等の回路素子を用いたＣＣＤイメージセンサー若しくはＭＯＳ（Metal Oxide Semiconductor；金属酸化膜半導体）等を用いたＭＯＳ型イメージセンサー等の固体撮像素子である光電変換素子等が適用される。撮像素子３１によって生成されたアナログ画像信号は、後述する制御部４２の画像処理部４２ａへと出力されてデジタル変換された後、各種の画像信号処理が行なわれる。
【０１０３】
制御部４２は、撮像装置１の全体を統括的に制御する制御回路及びソフトウエアプログラムを含む構成部である。制御部４２は例えばＣＰＵ（Central Processing Unit；中央処理装置）等を用いたプロセッサ（processor；処理装置）を含む複数の電気部品等によって構成される電子回路である。
【０１０４】
制御部４２は複数の制御回路等と対応する各種ソフトウエアプログラムを含んで構成されている。即ち、制御部４２は、画像処理部４２ａと、動作モード変更制御部４２ｂと、パラメータ制御部４２ｃと、表示制御部４２ｄと、通信制御部４２ｅと、記録制御部４２ｆと、姿勢判定部４２ｇと、電源制御部４２ｈ等を有して構成されている。
【０１０５】
画像処理部４２ａは、撮像素子３１からの出力信号を受けて、各種の画像信号処理、例えば表示用画像データや記録用画像データ等を生成する処理を施す処理回路及びソフトウエアプログラム等を含む構成部である。この画像処理部４２ａにおいて生成された画像データは、例えば、表示制御部４２ｄ等において所定の処理が行われた後、表示装置（３４，３５）等へと出力されて画像として表示される。
【０１０６】
動作モード変更制御部４２ｂは、複数の操作部材のうちの所定の操作部材が操作されることにより発生する動作モード変更指示信号を受けて、当該指示信号に対応する動作モードの変更処理を制御する制御回路及びソフトウエアプログラム等を含む構成部である。
【０１０７】
パラメータ制御部４２ｃは、パラメータ設定動作時に、指定された設定動作に対応する所定のパラメータ値の変更を指示する指示信号を受けて、対応するパラメータ値の変更処理を制御する制御回路及びソフトウエアプログラム等を含む構成部である。
【０１０８】
表示制御部４２ｄは、電子ビューファインダー（ＥＶＦ）３４及び背面モニター３５を制御して、所定の表示（画像表示や設定メニュー表示，警告表示等の各種の表示）処理を制御する制御回路及びソフトウエアプログラム等を含む構成部である。
【０１０９】
通信制御部４２ｅは、通信部４４を制御して外部通信機器（不図示）との間での通信処理を制御する制御回路及びソフトウエアプログラム等を含む構成部である。
【０１１０】
記録制御部４２ｆは、画像処理部４２ａにて処理後の画像信号を圧縮処理し、圧縮後の画像を記録部４５へと出力して記録させる信号処理を行ったり、記録部４５に含まれる記録媒体の駆動制御等を行って、記録媒体に記録済みの画像データの読込処理や、記録媒体への画像データの書込処理等を行う制御処理回路及びソフトウエアプログラム等を含む構成部である。
【０１１１】
姿勢判定部４２ｇは、姿勢検出部４６からの出力信号を受けて、当該撮像装置１のボディ筐体１０の姿勢（例えば横位置撮影の第１姿勢又は縦位置撮影の第２姿勢等）を判定する回路部及びソフトウエアプログラム等を含む構成部である。
【０１１２】
電源制御部４２ｈは、電源部４７に含まれる電源用バッテリに関する各種の制御を行う制御回路及びソフトウエアプログラム等を含む構成部である。
【０１１３】
操作部４３は、上述の複数の操作部材（１２〜１８，２２〜２８等）に各対応する複数のスイッチ部材などを含む構成部である。
【０１１４】
通信部４４は、通信制御部４２ｅに制御されることにより、当該撮像装置１と外部通信機器（不図示）との間で、有線通信手段若しくは無線通信手段を介して各種の制御信号若しくは画像データ信号を含む各種の情報信号等の相互通信を行うための回路部及びソフトウエアプログラム等を含む構成部である。
【０１１５】
通信部４４としては、例えば、ＵＳＢ規格の有線通信やＷｉｆｉ（登録商標）等の無線ＬＡＮ，ブルートゥース（登録商標）等による無線通信等を可能とするように構成している。
【０１１６】
記録部４５は、撮像素子３１から出力され画像処理部４２ａにて処理済みの画像データを受けて、これを所定の形態に変換する信号処理回路部や、この信号処理回路部によって生成された画像データを記録する記録媒体、当該記録媒体を駆動制御する制御回路及びソフトウエアプログラム等を含んで構成される構成ユニットである。
【０１１７】
この記録部４５にて実行される画像信号変換処理としては、例えば信号圧縮処理等を含む記録画像データへの変換処理や、記録媒体に記録済みの画像データを読み込んで伸長処理等を施して所定の形態の画像信号に復元させる信号処理等である。なお、記録部４５に含まれる記録媒体は、例えばカード形状に形成され、撮像装置１のボディ筐体１０に対して着脱自在に構成した、カード型半導体メモリを主に想定している。しかしながら，記録媒体の構成例としては、この種の形態に限られることはない。例えば、撮像装置１の内部電気基板（不図示）上に実装される内部固定メモリ等を記録媒体として用いるような構成としてもよい。
【０１１８】
なお、上述の圧縮伸長処理については、記録部４５に含まれる信号処理回路部で実行する形態に限られることはない。このような画像データの圧縮伸張処理は、例えば制御部４２内に同様の信号処理回路部を設けるといった形態としても実現できる。
【０１１９】
また、記録部４５には、撮像素子３１によって取得された画像データ等を一時的に記録しておく一時記憶回路部のほか、本撮像装置１において動作させる各種のプログラム等を記憶しておく記憶媒体を設けて構成してもよい。この場合に用いられる記憶回路部としては、例えばＥＥＰＲＯＭ（Electrically Erasable Programmable Read-Only Memory），ＲＡＭ（Random Access Memory）等の半導体メモリ素子等を適用することができる。
【０１２０】
姿勢検出部４６は、当該撮像装置１のボディ筐体１０の姿勢を検出する検出素子、例えば加速度センサやジャイロセンサ等によって構成される構成ユニットである。また、姿勢検出部４６としては、これ以外にも、例えば、第１グリップ１１と第２グリップ２１とのそれぞれに、グリップ部を把持している状態（使用者の手が触れている状態）を検出するグリップ把持検出素子（タッチセンサ等）を設けた形態でもよい。
【０１２１】
電源部４７は、当該撮像装置１の内部に収納される電源用バッテリを含み、この電源用バッテリからの供給電力、若しくは外部商用電源からケーブル接続によって供給される電力を受けて、当該撮像装置１の各構成ユニットに対して電源制御部４２ｈの制御下において適宜必要な電力を供給する構成ユニットである。本実施形態の撮像装置１における電源部４７は、例えば第２グリップ２１の内部に配設されている。
【０１２２】
電子ビューファインダー（ＥＶＦ）３４及び背面モニター３５は、制御部４２の表示制御部４２ｄによって制御される表示装置である。電子ビューファインダー（ＥＶＦ）３４及び背面モニター３５は、例えば撮像素子３１によって取得され、制御部４２の画像処理部４２ａによって所定の処理が施された画像データに基いてライブビュー（ＬＶ）画像を表示したり、記録部４５に記録済みの画像データに基いて画像の再生表示を行ったり、記録部４５等に予め用意された各種アイコンデータ等に基くアイコンやメニュー画面等を表示する。
【０１２３】
換言すると、電子ビューファインダー（ＥＶＦ）３４及び背面モニター３５は、撮影モード時には表示制御部４２ｄの制御下において、撮像素子３１によって取得され画像処理部４２ａを経て処理済み画像データに基いて順次連続的にリアルタイムの画像を表示し続けることによって、撮影範囲の観察や確認をリアルタイムで行なうためのモニタ装置として機能する一方、再生モード時には表示制御部４２ｄの制御下において記録済みの画像データに基く画像を再生表示する表示装置として機能する。
【０１２４】
このように構成される本実施形態の撮像装置１の作用を、図６〜図９のフローチャートによって以下に説明する。
【０１２５】
図６〜図８は、本発明の一実施形態の撮像装置の作用の流れを概略的に示すフローチャートである。このうち、図６は当該撮像装置の作用の流れの前段部のフローチャートである。図７は当該撮像装置の作用の流れの中段部のフローチャートである。図８は当該撮像装置の作用の流れの後段部のフローチャートである。図９は、図７のステップＳ５４の処理（モード設定，撮像パラメータ変更制御処理）の詳細（サブルーチン）を示すフローチャートである。
【０１２６】
まず、本実施形態の撮像装置１は、電源がオン状態とされて起動している状態にあるものとする。この状態にあるとき、図６のステップＳ４１において、制御部４２は、現在設定されている動作モードが撮像モードであるか否かの確認を行う。ここで、撮像モードに設定されている場合には、ステップＳ４２の処理に進む。また、撮像モード以外が設定されている場合には、図８のフローチャートに進む（図６，図８の丸符号Ｂ）。
【０１２７】
ステップＳ４２において、制御部４２は、姿勢判定部４２ｇを介して姿勢検出部４６からの出力信号を確認して、使用者が撮像装置１を横位置撮影に対応する第１姿勢と、縦位置撮影に対応する第２姿勢との間で持ち替えているか否かの判定をする（縦横持ち替え判定処理）。ここで、第１姿勢から第２姿勢へ若しくは第２姿勢から第１姿勢への持ち替え中であると判定された場合には、ステップＳ４３の処理に進む。また、持ち替え中ではないと判定された場合、つまり、撮像装置１が第１の姿勢若しくは第２の姿勢のいずれかで安定していると判定された場合には、ステップＳ４５の処理に進む。
【０１２８】
ステップＳ４３において、制御部４２は、操作部無効化処理を実行する。その後、ステップＳ４４の処理に進む。
【０１２９】
ここで行われる操作部無効化処理は、次のような状況に鑑みて設けられる制御処理である。即ち、使用者（ユーザ）が本実施形態の撮像装置１を手に持って使用している状況下において、撮像装置１を所望の姿勢に持ち替えることはよくある。例えば、撮像装置１を第１姿勢で使用している時に第２姿勢へと持ち替えたり、若しくは第２姿勢で使用中に第１姿勢へと持ち替える等である。このような持ち替え動作の途中では、撮像装置１の表面上に設けられる各種の操作部材に使用者の手指などが意図せずに触れてしまうことがある。その場合、使用者の意図に反して設定済みの各種の設定が切り換わってしまったり、設定済みのパラメータ値が変更されてしまうことになる。
【０１３０】
そこで、本実施形態の撮像装置１においては、使用者が縦横持ち替え動作を行う際には、その持ち替え動作を判定し、持ち替え動作中であることが判定された場合には、当該持ち替え動作中に発生する各種の設定指示信号を無効化する操作部無効化処理を設けている。
【０１３１】
ここで、操作部無効化処置としては、例えば、持ち替え動作中に発生した設定指示信号は、使用者が意図しない設定指示であるものとして、持ち替え動作中の設定指示信号は対応する設定処理に反映させないようにする（無視する）処理である。
【０１３２】
また、操作部無効化処置の別形態としては、例えば、持ち替え動作を行なう直前の設定情報を一時的に記憶しておき、持ち替え動作中に設定指示信号が発生して、使用者の意図しない設定切り換えや変更などが生じたとしても、持ち替え動作の完了後に、一時記憶しておいた設定情報を呼び出して、持ち替え動作を行なう直前の設定状態に戻すことができるようにするといった処理を行なうようにしてもよい。
【０１３３】
このように、本実施形態の撮像装置１においては、持ち替え動作の判定処理及び操作部無効化処理を設けることにより、設定済みの設定やパラメータ値が使用者の意図に反して知らない間に変更されてしまうことを防いでいる。若しくは、持ち替え動作の結果、使用者の意図しない設定切り換えやパラメータ値の変更が生じてしまっても、持ち替え動作前の設定状態に戻すことができるようにしている。
【０１３４】
なお、この操作部無効化処理の対象とする操作部材としては、撮像装置１のボディ筐体１０に設けられる各種の操作部材だけでなく、レンズ鏡筒ユニット３６（図１〜図４では不図示；後述の図１１〜図１３等参照）に含まれる操作部材、例えばフォーカスリング３６ａ，ズームリング３６ｂ，絞りリング（不図示）等も含まれるものとする。
【０１３５】
ここで、図１１〜図１３は、撮像装置１を第１姿勢から第２姿勢へと持ち替える際の様子を概念的に示している。このうち、図１１は撮像装置１を第１姿勢で使用している様子を示している。図１２は撮像装置１を第１姿勢から第２姿勢へと持ち替える途中の様子を示している。図１３は撮像装置１の持ち替え動作の完了後、当該撮像装置１を第２姿勢で使用している様子を示している。
【０１３６】
このように、持ち替えという作業をユーザは手間をかけて行っているので、ユーザがいろいろなスイッチ操作等を行わずとも、この持ち替えの判定によってさまざまな機能切替が自動で出来れば便利である。持ち替えを判定するシステム的、電気回路的な工夫は姿勢センサや重力センサ、加速度センサ、地磁気センサなどを利用して容易に行うことができる。もちろんタッチセンサなどを利用してもよい。姿勢検出部４６は前述のように、いろいろな手段で構成可能である。
【０１３７】
まず、使用者は、図１１に示すように、使用者が撮像装置１を第１姿勢として両手に持って使用しているものとする。このとき、使用者の右手１００Ｒは第１グリップ１１を把持している。そして、当該右手１００Ｒの親指１０１は第１グリップ１１の第１サムグリップ１１ｂに当接させた状態で、当該撮像装置１を保持している。また、右手１００Ｒの中指１０３は第１段差部１１ａに当接した状態で第１グリップ１１を把持し、同時に右手１００Ｒの他の指（薬指１０４及び小指）も第１グリップ１１を把持して、当該撮像装置１を保持している。また、人差し指１０２はシャッターボタン１２に添えられている。
【０１３８】
一方、左手１００Ｌはレンズ鏡筒ユニット３６の外周面を把持している。この場合において左手１００Ｌは、フォーカスリング３６ａ若しくはズームリング３６ｂを操作し得る状態で、これらの操作部材（３６ａ，３６ｂ）のいずれかに軽く添えられている。
【０１３９】
この図１１に示す状態から撮像装置１を手に持った状態のまま、当該撮像装置１の第２姿勢へと持ち替えるものとする。
【０１４０】
そのためには、まず、使用者は、図１２に示すように、右手１００Ｒを第１グリップ１１から離す。このとき、撮像装置１は左手１００Ｌがレンズ鏡筒ユニット３６を把持しているので落下するようなことはない。この状態で、使用者は、レンズ鏡筒ユニット３６を把持したまま左手１００Ｌを若干捻ることにより、撮像装置１を光軸周りに回転させて、第１グリップ１１を上側に位置させるようにする。このとき、右手１００Ｒは、撮像装置１から離していてもよいし、撮像装置１に添えるようにしてもよい。
【０１４１】
そうして、図１３に示すように、第１グリップ１１が上側に配置され、かつ第２グリップ２１が右手１００Ｒで把持し得る位置に配置されると、撮像装置１は第２姿勢となる。この状態において、使用者は右手１００Ｒで第２グリップ２１を把持する。このときの右手１００Ｒの各指の配置は、次のようになる。即ち、右手１００Ｒの親指１０１は第１グリップ１１の第２サムグリップ２１ｂに当接させた状態で、当該撮像装置１を保持している。また、右手１００Ｒの中指１０３は第２段差部２１ａに当接した状態で第２グリップ２１を把持し、同時に右手１００Ｒの他の指（薬指１０４及び小指）も第２グリップ２１を把持して、当該撮像装置１を保持している。また、人差し指１０２はシャッターボタン２２に添えられている。
【０１４２】
このように、撮像装置１の使用中においては、図１１に示す状態から図１２の状態を経て図１３に示す状態へ、若しくは図１３に示す状態から図１２の状態を経て図１１に示す状態へと持ち替え動作が行われる。
【０１４３】
本実施形態の撮像装置１においては、このような持ち替え動作を、姿勢検出部４６及び姿勢判定部４２ｇによって判定するようにしている（図６のステップＳ４２）。そして、図１２のように持ち替え動作中であることが判定された場合には、操作部無効化処理（図６のステップＳ４３）を実行して、意図しない設定切り換えやパラメータ値の変更を防いでいる。
【０１４４】
図６に戻って、上述のステップＳ４３の操作部無効化処理が実行されると、次のステップＳ４４の処理において、制御部４２は、表示制御部４２ｄを介してＥＶＦ３４若しくは背面モニター３５を制御して設定保持表示処理を実行する。その後、ステップＳ４１の処理に戻る。
【０１４５】
ここで行われる設定保持表示処理は、次のような処理である。図１４は、設定保持表示処理による表示例を示す図である。
【０１４６】
例えば、使用者が撮像装置１を手に持って使用しているとき、当該撮像装置１を、図１４の符号１Ａで示すように第１姿勢としているものとする。この状態にあるとき、使用者が必要に応じて（横構図から縦構図への変更等を行うために）、撮像装置１を図１４の矢印Ｒ方向に回転させて、第１グリップ１１を把持する第１姿勢から第２グリップ２１を把持する第２姿勢へと持ち替えるものとする。このとき、撮像装置１は、図１４の符号１Ａで示す状態（第１姿勢）から同図１４の符号１Ｂで示す状態を経て同図１４の符号１Ｃで示す状態（第２姿勢）へと移行する。
【０１４７】
この場合において、図１４の符号１Ａでは第１姿勢の状態で安定しているものとする。この状態から、撮像装置１の持ち替え動作が開始されて、当該撮像装置１が図１４の矢印Ｒ方向へ回転すると、図１４の符号１Ｂで示す状態（持ち替え中の状態という）になる。
【０１４８】
このような持ち替え動作が判定されると、当該撮像装置１の制御部４２は、設定保持表示処理を実行する。これにより、図１４の符号１Ｂで示すように、例えば撮像装置１の背面モニター３５の表示パネル上に、所定の設定保持表示３５ａが表示される。図１４においては、設定保持表示３５ａとして「Ｋｅｅｐ」等の文字情報若しくはアイコン情報等による警告表示の表示例を示している。
【０１４９】
この状態（図１４の符号１Ｂ）から、さらに持ち替え動作が継続すると、撮像装置１は、やがて図１４の符号１Ｃで示す第２姿勢となる。このとき、撮像装置１は、第１姿勢から第２姿勢に変わるので、後述するように、横位置撮影用（第１姿勢）に適したユーザーインターフェース（ＵＩ）から縦位置撮影用（第２姿勢）に適したユーザーインターフェース（ＵＩ）へと切り換わる処理によって、図１４の符号１Ｃで示すような形態の設定保持表示３５ｂが背面モニター３５に表示される。
【０１５０】
なお、ここでは、設定保持表示３５ａ，３５ｂの表示例として、背面モニター３５に表示する例を示したが、これに限られることはない。設定保持表示３５ａ，３５ｂは、ＥＶＦ３４の使用時には、同様の形態でＥＶＦ３４に表示させることができる。
【０１５１】
なお、操作部無効化処理にて、持ち替え動作中に発生した設定指示信号を反映させない（無視する）処理とする場合の設定保持表示３５ａ，３５ｂは、上述のような形態でよい。これに対し、操作部無効化処理にて、持ち替え動作直前の設定情報を一時的に記憶すると共に、持ち替え動作中の設定切り換えや変更を許容する処理とする場合の設定保持表示３５ａ，３５ｂとしては、図１４の例示に替えて、例えば「持ち替え前の設定記憶済み」等の表示とすればよい。また、持ち替え動作中の設定切り換え等が確認された場合には、これに加えて「持ち替え動作中に設定が変更されました」等の警告表示を行うようにしてもよい。
【０１５２】
図６に戻って、上述のステップＳ４４の設定保持表示処理の実行が完了すると、その後、上述のステップＳ４１の処理に戻る。
【０１５３】
一方、上述のステップＳ４２の縦横持ち替え判定処理にて、持ち替え中ではないと判定されて、ステップＳ４５の処理に進むと、このステップＳ４５において、制御部４２は、持ち替え動作が完了したか否かの判定を行う。この判定は、現在の撮像装置１の姿勢が、第１姿勢若しくは第２姿勢で安定している状態にあるか否かを判定することによりなされる。ここで、現在の撮像装置１の姿勢が第１姿勢若しくは第２姿勢で安定している状態にある（持ち替え動作が完了した）と判定されると、次のステップＳ４６の処理に進む。また、現在の撮像装置１の姿勢が第１姿勢若しくは第２姿勢で安定していない状態（例えば未だ持ち替え動作中）であると判定された場合には、図７のステップＳ５１の処理に進む（図６，図７の丸符号Ａ）。
【０１５４】
ステップＳ４６において、制御部４２は、設定保持表示処理を実行する。ここでいう設定保持表示処理は、現在の撮像装置１の姿勢に応じた表示を行なう処理である。具体的には、例えば、図１４を用いて説明したように、第１姿勢にある撮像装置１（図１４の符号１Ａ）を図１４の符号１Ｂで示す状態を経て図１４の符号１Ｃで示す第２姿勢へと持ち替えたときには、第２姿勢に対応する設定保持表示３５ｂを表示させる処理である。また、反対に、第２姿勢にある撮像装置１を第１姿勢とする持ち替え動作の場合には、第１姿勢に対応する表示（図１４の設定保持表示３５ａ参照）を行なう処理である。
【０１５５】
続いて、ステップＳ４７において、制御部４２は、操作部４３からの指示信号を監視して、設定を戻すための設定戻し操作による所定の操作指示信号が出力されているか否かの確認を行なう。ここで、設定を戻すための所定の操作指示信号とは、上述の操作部無効化処理にて、持ち替え動作中に意図しない設定切り換えや変更が生じて、その旨の表示が出ている場合に、使用者が所定の操作部材を操作して生じる操作指示信号である。
【０１５６】
ここで、所定の操作指示信号が確認された場合には、操作部無効化処理の解除を行なった後、次のステップＳ４８の処理に進む。
【０１５７】
そして、ステップＳ４８において、制御部４２は、撮像装置１の設定状態を持ち替え動作前（姿勢変更前）の設定状態に戻す処理（一時記憶されている設定情報を読み込んで設定し直す処理）を実行する。その後、ステップＳ４１の処理に戻る。
【０１５８】
また、上述のステップＳ４７の処理にて、設定戻し操作が確認されない場合には、操作部無効化処理の解除を行なった後、直ちに、ステップＳ４１の処理に戻る。
【０１５９】
一方、上述のステップＳ４５の処理にて、現在の撮像装置１の姿勢が第１姿勢若しくは第２姿勢で安定していない状態（例えば持ち替え動作中）であると判定されて、図７のステップＳ５１の処理に進むと（図６，図７の丸符号Ａ）、このステップＳ５１において、制御部４２は、姿勢判定部４２ｇを介して姿勢検出部４６からの出力信号を確認して、現在の撮像装置１の姿勢が横位置撮影に対応する第１姿勢であるか、縦位置撮影に対応する第２姿勢であるかを判定する。ここで、横位置撮影に対応する第１姿勢であると判定された場合には、ステップＳ５２の処理に進む。また、縦位置撮影に対応する第２姿勢であると判定された場合には、ステップＳ５７の処理に進む。
【０１６０】
ステップＳ５２において、制御部４２は、動画撮影モードを設定すると同時に、通常の横長画面の動画撮影動作に対応するユーザーインターフェース（ＵＩ）を設定する処理（横用ＵＩ設定処理）を実行する。その後、ステップＳ５３の処理に進む。
【０１６１】
一方、ステップＳ５７において、制御部４２は、静止画撮影モードを設定すると同時に、第２姿勢での静止画像（縦位置）を取得するための静止画撮影動作に対応するユーザーインターフェース（ＵＩ）を設定する処理（縦用ＵＩ設定処理）を実行する。その後、ステップＳ５８の処理に進む。
【０１６２】
このように、本実施形態においては、ステップＳ５１の処理にて撮像装置１の縦横姿勢を判定し、判定された撮像装置１の姿勢に応じて動画撮影モード（Ｓ５２）と静止画撮影モード（Ｓ５７とを選択設定するようにしている。
【０１６３】
つまり、本実施形態においては、撮像装置１を第１姿勢（横位置）で構えた時には動画撮影モードで動作させ、当該撮像装置１を第２姿勢（縦位置）で構えた時には静止画撮影モードで動作させるようにしている。
【０１６４】
換言すると、本実施形態においては、撮像装置１の姿勢を第１姿勢と第２姿勢とに持ち替えることによって、その都度、動画撮影モードと静止画撮影モードとの切り換えを、所定の操作部材の操作無しに、行なうことができるように構成されている。
【０１６５】
なお、この場合において、横用ＵＩ設定処理の実行時には、例えば複数の操作部材のうちの横位置撮影用操作部材（符号１２〜１８）を有効化し、縦位置撮影用操作部材（符号２２〜２８）を無効化する等の処理を同時に行うようにしてもよい。
【０１６６】
同様に、縦用ＵＩ設定処理の実行時には、例えば複数の操作部材のうちの縦位置撮影用操作部材（符号２２〜２８）を有効化し、横位置撮影用操作部材（符号１２〜１８）を無効化する等の処理を同時に行うようにしてもよい。
【０１６７】
なお、これらの設定例は、横用ＵＩ設定処理及び縦用ＵＩ設定処理における単なる一例であって、これらの動作に限られるものではない。
【０１６８】
一般に、動画撮影を行う際には、撮像装置１を第１姿勢（横位置）とすることが多いものである。したがって、本実施形態の撮像装置１においては、撮像モードに設定されていて（ステップＳ４１）、縦横持ち替え動作中ではなく（ステップＳ４２）、縦横持ち替え動作が完了していない（安定していない；ステップＳ４５）が、第１姿勢であると判定されたとき（ステップＳ５１，Ｓ５２）には、当該撮像装置１は、通常の動画撮影モード（横位置）で動作する。
【０１６９】
この場合において、使用者が静止画撮影モード（横位置）での動作を所望する場合が考えられる。そのような場合には、図示を省略しているが、使用者が所定の操作部材を操作することによって、撮像装置１の動作モードの設定を動画撮影モードから静止画撮影モードへと切り換えることができるようにすればよい。これにより、使用者は、当該撮像装置１を用いて横位置の動画撮影若しくは横位置の静止画撮影を行うことができるようになる。
【０１７０】
一方、本実施形態の撮像装置１において、上述のステップＳ４１，Ｓ４２，Ｓ４５の処理の流れの後、ステップＳ５１の処理にて、本撮像装置１が第２姿勢であると判定されたときには、ステップＳ５７の処理にて、当該撮像装置１は静止画撮影モード（縦位置）で動作する。
【０１７１】
この場合において、使用者が動画撮影モードでの動作を所望する場合も考えられる。そのような場合には、図示を省略しているが、使用者が所定の操作部材を操作することによって、撮像装置１の動作モードの設定を静止画撮影モードから動画撮影モードへと切り換えを行うことができるようにすればよい。これにより、使用者は当該撮像装置１を用いて動画像の撮影を行うことができるようになる。
【０１７２】
なお、本実施形態の撮像装置１においては、このときに実行される動画撮影は、通常の動画撮影時の動作とは異なる動作（図７のステップＳ５９〜Ｓ６０の処理及び図１５参照）が行われるものとしている（詳細は後述する）。
【０１７３】
また、撮像装置１を第２姿勢（縦位置）としたときの動画撮影動作としては、上述の動作（図７のステップＳ５９〜Ｓ６０の処理及び図１５参照）とは別に、通常の動画撮影動作に準じる動作によって、単に縦位置画面の動画を取得するような動作としてもよい。
【０１７４】
このように、動画撮影モード時の動作が複数種類ある場合には、動画撮影モードを選択したときに実行される動画撮影動作を、予めメニュー設定によって設定しておけばよい。若しくは、動画撮影モードが選択された時点で、所望の動画撮影動作を選択設定するようなメニュー画面を表示して、その都度、使用者に選択設定させるようにしてもよい。以下の説明では、動画撮影モードが設定されて、第２姿勢とされたときには、後述する動画撮影動作（縦位置）が実行されるように設定されているものとする。
【０１７５】
なお、上述したように、本実施形態の撮像装置１においては、撮像装置１の姿勢を第１姿勢と第２姿勢とに持ち替えることによって、動画撮影モードと静止画撮影モードとの設定切り換えを、所定の操作部材の操作無しに行なうことができるようにした例を示したが、持ち替えによる所定の設定切り換え処理は、この例示に限られることはない。
【０１７６】
例えば、撮像装置１の姿勢を第１姿勢と第２姿勢との間で持ち替えることによって、アスペクト比の設定を切り換えるようにしてもよい。この場合には、本撮像装置１において対応可能な複数種類のアスペクト比設定値のうちの二種類を予め選択しておき、選択した二種のアスペクト比設定値のうちの一方を第１姿勢に対応させ、他方を第２姿勢に対応させるように予め設定しておく。このような準備をしておけば、撮像装置１の使用時において、第１姿勢としたときには横長の通常のアスペクト比（例えば「４：３」）が設定され、装置の持ち替えを行って第２姿勢としたときには他のアスペクト比（例えば「１：１」）が設定されるといったように、装置の持ち替え操作をアスペクト比の設定切り換え操作として用いることができる。
【０１７７】
図７に戻って、上述のステップＳ５２の処理の後、ステップＳ５３において、制御部４２は、操作部４３を監視して、所定の指示信号（モード設定指示信号，撮像パラメータ信号）が発生したか否かの確認を行う。ここで、当該所定の指示信号の発生が確認された場合には、ステップＳ５４の処理に進む。また、当該所定の指示信号の発生が確認されない場合には、ステップＳ５５の処理に進む。
【０１７８】
ステップＳ５４において、制御部４２は、上述のステップＳ５３の処理にて確認された指示信号に応じた制御処理（モード設定制御処理，撮像パラメータ調整制御処理）を実行する。当該処理が完了したら、ステップＳ５５の処理に進む。
【０１７９】
ステップＳ５５において、制御部４２は、記録処理の指示がなされたか否かの確認を行う。ここで記録処理とは、例えばシャッターボタンの押圧指示信号の発生をトリガーとして開始される撮像動作処理（撮像光学系の焦点距離調整、撮像素子による露出制御処理、画像信号の取得（キャプチャ）処理、取得画像信号の各種画像処理、取得した画像データの記録媒体への記録処理などの一連の処理）を指すものとする。ここで、記録処理の指示が確認された場合には、ステップＳ５６の処理に進む。また、記録処理の指示が確認されない場合には、図６のステップＳ４１の処理に戻り、以降の処理を繰り返す（図６，図７の丸符号Ｃ）。
【０１８０】
ステップＳ５６において、制御部４２は、所定の記録処理を実行する。その後、図６のステップＳ４１の処理に戻り、以降の処理を繰り返す（図６，図７の丸符号Ａ）。
【０１８１】
また、上述のステップＳ５７の処理の後、ステップＳ５８において、制御部４２は、設定されている撮像モードが動画撮影モードであるか否かの確認を行なう。ここで、動画撮影モードであることが確認された場合には、ステップＳ５９の処理に進む。また、動画撮影モードではない（静止画撮影モードが設定されている）ことが確認された場合には、ステップＳ５３の処理に進む。
【０１８２】
ステップＳ５９において、制御部４２は、動画撮影モードにおける画面中央領域切り出し処理を行なう。この画面中央領域切り出し処理は、撮像素子３１の受光面のうち撮像データの生成に寄与し得る有効な領域のうちから動画像を形成するための横長矩形状領域を切り出す画像信号処理である。
【０１８３】
ここで、撮像装置１は、上述したように、第２姿勢となっている。したがって、このときの状態では、撮像素子３１は縦長矩形状に配置されていることになる。一方、動画像は、通常の場合横長矩形状画面で構成されるのが普通である。このことから、本撮像装置１においては、動画撮影モードに設定し第２姿勢とした場合に動画撮影動作を実行すると、撮像素子３１における有効画像領域のうちの横長矩形状画像を形成する所定の領域を用いて横長の動画像を生成する処理が行われる。
【０１８４】
図１５は、本実施形態の撮像装置１において実行される画面中央領域切り出し処理と切り出し位置上下移動処理（後述）を説明する概念図である。
【０１８５】
例えば、動画撮影モードで撮像装置１を第２姿勢としたときには、まず、表示装置（例えば図１５に示す例では背面モニター３５）の表示画面には、通常のライブビュー画像が表示されている。図１５においては、背面モニター３５の表示画面に、飛行中の飛行機が表示されている例を示している。この背面モニター３５のライブビュー画像の略中央部分には、当該ライブビュー画像に重畳させて、動画像データの領域を表示する横長矩形状の表示枠３５ｃ（図１５の実線枠）が表示されている。このような表示形態を実現するのが画面中央領域切り出し処理である。ここで、動画撮影動作は、例えばシャッターボタン（図１５には不図示）の押圧操作により開始され、再度のシャッターボタンの押圧操作により終了させるといった操作体系となる。
【０１８６】
次に、図７に戻って、ステップＳ６０において、制御部４２は、操作部４３を監視して所定の操作部材（例えば第２リアダイヤル２７）からの操作指示信号を確認し、当該操作部材（ダイヤル）の操作に応じて切り出し位置上下方向への移動を行なう（切り出し位置上下移動処理）。
【０１８７】
上述の画面中央領域切り出し処理にて、背面モニター３５の略中央部分に横長矩形状の表示枠３５ｃを表示させた状態で、使用者は、図１５に示すように、横長矩形状の表示枠３５ｃの範囲内に所望の被写体（図１５の例示では飛行機）が収まるようにフレーミングを行なう。ここで、所望の被写体（飛行機）は移動しているものとすると、使用者は、動画撮影動作を行う際には、この移動する所望の被写体（飛行機）を追尾するように撮像装置１の操作を行うことになる。
【０１８８】
ここで、横長矩形状の表示枠３５ｃは、所定の操作部材（図１５に示す例では第２リアダイヤル２７）の回転操作によって、背面モニター３５の表示範囲内において上下方向へと移動させることができるように構成されている。例えば、図１５に示す例では、第２リアダイヤル２７を使用者が右手１００Ｒの親指１０１で回転操作すると、横長矩形状の表示枠３５ｃは、符号３５ｄで示す点線枠の位置まで移動する。このような表示形態を実現するのが、切り出し位置上下移動処理である。
【０１８９】
このように、所望の被写体が移動することにより、横長矩形状の表示枠３５ｃの範囲外となる場合には、所定の操作部材の所定の操作（例えば第２リアダイヤル２７の回転操作）により、撮像装置１自体を大きく動かすことなく、移動する被写体を追尾して所望の動画撮影を行うことができる。このような動画撮影モードを、特に、切り出し動画撮影モードというものとする。
【０１９０】
なお、切り出し動画撮影モードにおいては、ライブビュー画像表示を、切り出した領域の横長矩形状の表示枠３５ｃ以外の領域には、例えば、露出情報等や撮像装置１の設定情報等の各種の情報や、水準器表示等のガイド情報を表示するようにしてもよい。
【０１９１】
次に、図７に戻って、ステップＳ６１において、制御部４２は、操作部４３を監視して所定の操作部材によって生じる終了操作指示信号が出力されたか否かの確認を行なう。この終了操作指示信号は、例えばシャッターボタンの２度目の押圧操作等を受けて生じる指示信号等である。ここで、終了操作指示信号が確認されるまで、上記一連の処理（ステップＳ５９，Ｓ６０の処理）を繰り返す。そして、終了操作指示信号が確認された場合には、ステップＳ５６の処理に進む。
【０１９２】
上述のステップＳ４１の処理にて撮像モード以外の動作モードが設定されているものと判断されて、図８のステップＳ７１の処理に進むと（図６，図８の丸符号Ｂ）、このステップＳ７１において、制御部４２は、現在設定されている動作モードが通信設定モードであるか否かの確認を行う。ここで、通信設定モードに設定されている場合には、ステップＳ７２の処理に進む。また、通信設定モード以外が設定されている場合には、ステップＳ７３の処理に進む。
【０１９３】
ステップＳ７２において、制御部４２は、所定の通信設定処理を実行する。その後、ステップＳ７３の処理に進む。
【０１９４】
ステップＳ７３において、制御部４２は、現在設定されている動作モードが再生モードであるか否かの確認を行う。ここで、再生モードに設定されている場合には、ステップＳ７４の処理に進む。また、再生モード以外が設定されている場合には、ステップＳ４１の処理に戻り、以降の処理を繰り返す（図６，図８の丸符号Ｃ）。
【０１９５】
ステップＳ７４において、制御部４２は、所定の画像再生処理を実行する。その後、ステップＳ７５の処理に進む。
【０１９６】
ステップＳ７５において、制御部４２は、第１グリップ１１及び第２グリップ２１の両方が使用者によって同時に把持されている（使用者の手が触れている）状態にあるか否かの確認を行なう。このグリップの同時把持状態の確認は、例えば、姿勢検出部４６の一部として設けられるグリップ把持検出素子（不図示）等からの出力信号を確認することにより行い得る。ここで、第１グリップ１１及び第２グリップ２１の両方が同時に把持されている状態が確認されると、次のステップＳ７６の処理に進む。また、第１グリップ１１及び第２グリップ２１の同時把持状態が確認されない場合には、ステップＳ７８の処理に進む。
【０１９７】
ステップＳ７６において、制御部４２は、当該撮像装置１の動作モードを、再生モードのうちの画像編集モードに設定する。ここで、画像編集モードとは、記録済み画像のうちの所望の画像を表示装置（ＥＶＦ３４又は背面モニター３５）に表示させ、その所望の画像について、各種の画像処理（明るさ調整，輝度調整，ホワイトバランス調整等の各種の画像調整処理）や画像エフェクト処理（アートフィルタ処理等）等を施すことができる動作モードである。
【０１９８】
本実施形態の撮像装置１においては、画像編集モード時の操作として、図１６に示すように、例えば、右手１００Ｒで第１グリップ１１を把持し、同右手１００Ｒの親指１０１Ｒで第１リアダイヤル１７の回転操作を行いつつ、同時に左手１００Ｌで第２グリップ２１を把持し、同左手１００Ｌの親指１０１Ｌで第２リアダイヤル２７の回転操作を行なうという操作ができる。
【０１９９】
このような操作体系を実現することによって、本撮像装置１においては、両手を用いて二種類の操作部材を同時に操作して、画像処理に関する二種類のパラメータ値の変更調整を同時に行なうといった編集作業を、容易にかつ直感的な操作体系として提供できる。
【０２００】
このような操作体系の具体例としては、例えば、画像編集モードにおいて、記録済みの画像データに対して二種類のフィルターエフェクト（アートフィルター）を組み合わせる場合の適用強弱調整や、一つのフィルターエフェクトを適用する際に詳細な調整（エフェクト強弱や明暗調整など）等、二つのパラメータ値を調整するような場合に至便である。
【０２０１】
ここで、記録済みの画像データのうちの所望の画像データに対し、フィルターエフェクト（アートフィルター）を適用した後、詳細調整を行なう場合の作業の流れを簡単に説明する。
【０２０２】
図１６は、画像編集モードにおいて、記録済みの画像データに対し、二つの操作部部材（第１リアダイヤル１７と第２リアダイヤル２７）を同時に使用して編集処理を行う際の様子を示す概念図である。
【０２０３】
まず、撮像装置１が起動しており、動作モードが再生モードに設定されているものとする。この状態においては、撮像装置１の表示装置（図１６では背面モニター３５としている。以下、背面モニター３５というものとする）の表示画面には、記録済みの画像データに基づく画像が表示されている。ここで、所定の操作部材を用いて画像編集処理を所望する画像データを選択操作し、その画像を背面モニター３５に表示させる。
【０２０４】
ここで、、所定の操作部材を用いて、再生モードのうちの画像編集モードを設定する。この画像編集モードへの切り換え設定は、上述したように、例えば二つのグリップ（１１，２１）の両方を同時に把持する等によりおこなうことができる。
【０２０５】
こうして画像編集モードに入ると、まず、背面モニター３５の表示画面には、例えば実行し得る複数の編集機能の一覧表示（不図示）が現れる。使用者は、この編集機能一覧表示の中から所定の操作部材を用いて所望の編集機能を選択する。ここでは、所望の編集機能として、所望のフィルターエフェクトを適用する編集機能が選択されたものとする。
【０２０６】
所望の編集機能が選択されると、続いて、選択した編集機能に関する詳細設定を行なう画面が現れる。ここで、適用しようとするフィルターエフェクトの種類を選択する等の詳細設定を行なう（その詳細説明は省略する）。
【０２０７】
この詳細設定処理を終了させると、背面モニター３５の表示画面には、図１６に示すように、表示中の画像（編集を所望する選択済みの画像）に重畳させて、当該表示画面の所定の部位（図１６の例では表示画面の周縁部近傍）に、パラメータ値の変更量を示すための指標である複数のバー表示３５ｅ，３５ｆが表示される。
【０２０８】
これら複数のバー表示３５ｅ，３５ｆは、二つのパラメータ値の適用量や変位量等のそれぞれを視覚的に表示する指標である。このうち第１バー表示３５ｅは、変更調整を所望する二種類のパラメータ値のうちの第１パラメータに対応する指標であり、第１リアダイヤル１７の回転操作に対応している。また、第２バー表示３５ｆは、変更調整を所望する二種類のパラメータ値のうちの第２パラメータに対応する指標であり、第２リアダイヤル２７の回転操作に対応している。
【０２０９】
ここで、第１リアダイヤル１７を図１６の矢印Ｘ方向に回転操作すると、第１パラメータの設定値の変更（第１バー表示３５ｅ）を行うことができる。例えば、第１リアダイヤル１７を図１６の矢印Ｘ１方向に回転操作すると、第１パラメータの設定値はバー表示３５ｅの指標は「＋」（プラス）方向に移動する。同様に、第１リアダイヤル１７を図１６の矢印Ｘ２方向に回転操作すると、第１パラメータの設定値はバー表示３５ｅの指標は「−」（マイナス）方向へと移動する。
【０２１０】
また、第２リアダイヤル２７を図１６の矢印Ｙ方向に回転操作すると、第２パラメータの設定値の変更（第２バー表示３５ｆ）を行うことができる。例えば、第２リアダイヤル２７を図１６の矢印Ｙ１方向に回転操作すると、第２パラメータの設定値はバー表示３５ｆの指標は「＋」（プラス）方向に移動する。同様に、第２リアダイヤル２７を図１６の矢印Ｙ２方向に回転操作すると、第２パラメータの設定値はバー表示３５ｆの指標は「−」（マイナス）方向へと移動する。
【０２１１】
このように、本撮像装置１においては、第１バー表示３５ｅにおける指標移動方向（図１６の矢印Ｘ方向）と第１リアダイヤル１７の回転操作方向とを一致させると共に、第２バー表示３５ｆの指標移動方向（図１６の矢印Ｙ方向）と第２リアダイヤル２７の回転操作方向とを一致させている。
【０２１２】
このような構成とすることにより、二種類のパラメータ値の設定変更を二つの操作部材を用いて行なうのに際し、バー表示（３５ｅ，３５ｆ）の指標移動方向と、それぞれに対応する操作部材の操作方向とを一致させるようにしたので、直感的に操作することができ、違和感のない編集操作を行うことができ、操作性の向上に寄与することができる。
【０２１３】
また、この場合における操作部材を回転ダイヤル部材とすれば、シームレスな（途切れのない）操作を行うことができるので、迅速な操作を行うことができると同時に、微調整を行なう場合にも至便である。
【０２１４】
例えば、図１６に示す表示例において、第１バー表示３５ｅは、第１パラメータとしてフィルタエフェクト適用の強弱が設定され、第２バー表示３５ｆの第２パラメータとして画像の明るさが設定されているものとする。
【０２１５】
この場合、図１６に示すように、使用者は右手１００Ｒの親指１０１Ｒを用いて第１リアダイヤル１７を矢印Ｘ２方向に操作して、バー表示３５ｅの指標を「−１」に設定している（第１バー表示３５ｅの中の太線参照）。
【０２１６】
また、同時に、使用者は左手１００Ｌの親指１０１Ｌを用いて第２リアダイヤル２７を矢印Ｙ１方向に操作して、バー表示３５ｆの指標を「＋２」に設定している（第２バー表示３５ｆの中の太線参照）。
【０２１７】
この場合において、第１リアダイヤル１７の操作方向（矢印Ｘ方向）と第１パラメータの変位を表す第１バー表示３５ｅの指標の移動方向とを一致させ、第２リアダイヤル２７の操作方向（矢印Ｙ方向）と第２パラメータの変位を表す第２バー表示３５ｆの指標の移動方向とを一致させるようにしたので、直感的な調整操作を行うことができる。
【０２１８】
なお、画像編集モードにおいて、二つの操作部材を用いて二つのパラメータ設定を行なう際の編集機能は、フィルターエフェクト編集時に限られることはなく、その他各種の編集機能、例えばデジタルシフト（台形歪み補正）機能における上下方向（垂直方向）のチルト補正及び左右方向（水平方向）シフト補正の編集時にも適用できる。
【０２１９】
また、第１パラメータ及び第２パラメータの設定は、上述の例に限られず、設定次第で様々に変更し得る。上述の例では、フィルタエフェクト適用の強弱設定と、画像の明るさ設定として例示したが、これ以外にも、例えば、フィルタエフェクト適用の強弱設定と色温度設定としたり、明度と彩度，色相と彩度等としてもよい。
【０２２０】
ステップＳ７７において、制御部４２は、操作部４３からの出力信号を監視して、出力信号に応じて、画像に関する各種パラメータ値の変更等を行って、画像編集処理を実行する。そして、画像編集モードを終了する指示信号が確認されたら、ステップＳ７８の処理に進む。
【０２２１】
ステップＳ７８において、制御部４２は、現在設定されている動作モードが外部送信モードであるか否かの確認を行う。ここで、外部送信モードに設定されている場合には、ステップＳ７９の処理に進む。また、外部送信モードが設定されていない場合には、ステップＳ８０の処理に進む。
【０２２２】
ステップＳ７９において、制御部４２は、所定の外部送信モードによる動作を実行する。例えば、選択指定された画像データを、通信制御部４２ｅを介して通信部４４を制御して、外部通信機器（不図示）への送信処理を実行する。当該処理が完了したら、ステップＳ８０の処理に進む。
【０２２３】
ステップＳ８０において、制御部４２は、再生動作の終了指示信号が発生したか否かの確認を行う。ここで、再生終了指示信号が確認された場合には、ステップＳ７３の処理に戻り、以降の処理を繰り返す。また、再生終了指示信号が確認されない場合には、ステップＳ７８の処理に戻り、以降の処理を繰り返す。
【０２２４】
次に、上述の図７のステップＳ５４の処理、即ちモード設定制御処理若しくは撮像パラメータ調整制御処理の詳細を以下に説明する。
【０２２５】
図９のステップＳ３１において、制御部４２は、モード変更指示信号が発生しているか否かの確認を行う。このモード変更指示信号は、例えば、設定メニュー（ソフトウエアプログラム）及び所定の操作部材を用いて行われる操作に応じて出力される指示信号のうち、各種の動作モードの変更を指示する指示信号である。また、モード変更指示信号としては、複数の操作部材に含まれるモード変更ダイヤル等（不図示）を操作することによって発生する指示信号も含まれる。
【０２２６】
ここで、モード変更指示信号が確認された場合には、ステップＳ３２の処理に進む。また、モード変更指示信号が確認されない場合には、ステップＳ３３の処理に進む。
【０２２７】
ステップＳ３２において、制御部４２は、上述のステップＳ３１の処理にて確認されたモード変更指示信号に応じたモード変更制御処理を実行する。当該処理の完了後、元の処理に戻り、図７のステップＳ５５の処理に進む（リターン）。
【０２２８】
一方、ステップＳ３３において、制御部４２は、ダイヤル機能切り換え指示信号が発生しているか否かの確認を行う。このダイヤル機能切り換え指示信号は、例えば設定メニュー（ソフトウエアプログラム）及び所定の操作部材を用いて行われる操作に応じて出力される指示信号のうち、各種のダイヤル操作部材に割り当てられている機能の切り換えを行うための指示信号である。ダイヤル機能切り換え設定の具体的な例としては、例えばフロントダイヤルとリアダイヤルとのそれぞれに割り当てられている所定の機能の切り換えを行う等である。
【０２２９】
ここで、ダイヤル機能切り換え指示信号が確認された場合には、ステップＳ３４の処理に進む。また、ダイヤル機能切り換え指示信号が確認されない場合には、ステップＳ３５の処理に進む。
【０２３０】
ステップＳ３４において、制御部４２は、ダイヤル機能切り換え設定処理を実行する。当該処理の完了後、元の処理に戻り、図７のステップＳ５５の処理に進む（リターン）。
【０２３１】
ステップＳ３５において、制御部４２は、複数の操作部材のうち所定のダイヤル操作部材による操作が行われたか否かの確認を行う。ここで、所定のダイヤル操作部材は、第１フロントダイヤル１３，第２フロントダイヤル２３，第１リアダイヤル１７，第２リアダイヤル２７を想定している。これら第１フロントダイヤル１３，第２フロントダイヤル２３，第１リアダイヤル１７，第２リアダイヤル２７は、上述したように、設定されている動作モードに関連するパラメータ値の設定値を、所望のパラメータ値へと変更し調整するための操作部材である。
【０２３２】
これらの第１フロントダイヤル１３，第２フロントダイヤル２３，第１リアダイヤル１７，第２リアダイヤル２７を用いてパラメータ値の設定変更操作を行う動作モードとしてには、例えば、ＡＦターゲット選択設定，露出補正設定，ＩＳＯ感度設定，ホワイトバランス設定，マルチファンクション設定（ハイライト＆シャドウコントロール，カラークリエーター，拡大，アスペクト比設定の切り換え），フリッカースキャン設定，ＮＤフィルター設定，シャッター速度値設定，絞り値設定等がある。
【０２３３】
ここで、所定のダイヤル操作部材の操作が確認された場合には、ステップＳ３６の処理に進む。また、所定のダイヤル操作部材の操作が確認されない場合には、元の処理に戻り、図７のステップＳ５５の処理に進む（リターン）。
【０２３４】
ステップＳ３６において、制御部４２は、操作が確認されたダイヤル操作部材の操作量（例えば回転量）を検出し、当該操作量に応じてパラメータ値の変更を切り換える処理を実行する。当該処理の完了後、元の処理に戻り、図７のステップＳ５５の処理に進む（リターン）。
【０２３５】
また、上述の図７のステップＳ５１〜Ｓ６１に示す処理に替えて、図１０に示すような処理としてもよい。図１０は、本実施形態の撮像装置の作用の変形例を示すフローチャートである。
【０２３６】
上述の図７によって説明した動作モードは、第１グリップ１１と第２グリップ２１との持ち替えによって、撮像装置１が第１姿勢と第２姿勢との間で姿勢変化が検出されたときには、第１姿勢とした場合は通常の横位置の動画撮影モードを設定し、第２姿勢とした場合は縦位置の動画撮影モードに設定する例示である。
【０２３７】
これに替えて、図１０で示す変形例の動作モードは、横位置撮影（第１姿勢）と縦位置撮影（第２姿勢）とを頻繁に変更して、即ち第１グリップ１１と第２グリップ２１との持ち替えを頻繁に行なって撮影を実行する状況に対応する動作モードである（縦横頻繁持替動作モード）。
【０２３８】
本実施形態の撮像装置１においては、上述したような構成により、使用者が撮像装置１を手に持って撮影を行うのに際して、横位置撮影を行うときには第１グリップ１１を把持して撮像装置１を第１姿勢とし、縦位置撮影を行うときには第２グリップ２１を把持して撮像装置１を第２姿勢とする。この場合において、使用者は、第１グリップ１１を把持した場合と、第２グリップ２１を把持した場合とで、いずれの場合も常に同等の操作性を得ることができる。
【０２３９】
しかしながら、当該撮像装置１における表示装置（ＥＶＦ３４，背面モニター３５）は、第１姿勢時と第２姿勢時とで異なる位置に配設されるような配置となっている。特に、覗き込んで使用するＥＶＦ３４は、第１姿勢とした時と、第２姿勢とした時とで、配設位置が大きく異なる。したがって、縦横持ち替えの際には、ＥＶＦ３４を覗き直す必要があり、その際、持ち替え前のＥＶＦ３４の位置と、持ち替え後のＥＶＦ３４の位置とが異なるので、持ち替え動作をスムーズに行なうことができないことがある。
【０２４０】
また、本実施形態の撮像装置１においては、ＥＶＦ３４の表示画面の中心位置も、背面モニター３５の表示画面の中心位置も、いずれも撮像光学系４８の光軸Ｏとは離れた位置に配置されている。
【０２４１】
この構成により、第１姿勢と第２姿勢との間の持ち替えを行なうと、撮影対象としている被写体が、ＥＶＦ３４や背面モニター３５のライブビュー表示領域外へと外れてしまい、持ち替えの都度、構図の調整を行ない直す必要が生じる。特に、撮像装置１を縦横で頻繁に持ち替えて撮影を継続するような状況においては、持ち替えの都度、構図調整をやり直すのは煩雑である。
【０２４２】
そこで、本変形例の動作モードでは、背面モニター３５の表示画面のうちの一部の領域を使用してライブビュー表示を行なうようにし、その場合の表示枠は、中心位置が光軸Ｏに一致する位置に表示させるようにしている。
【０２４３】
この場合には、さらに、背面モニター３５を覆うように配置され、当該背面モニター３５の一部の領域を用いた表示枠を拡大観察するためのアクセサリである表示面拡大ファインダ５１を設けて構成している。
【０２４４】
図１７〜図２１は、本変形例の動作モードで使用する際の撮像装置の様子を示す概念図である。このうち、図１７は本変形例の動作モードで動作している際の撮像装置が第１姿勢にある時のようすを示す背面側の平面図である。図１８は図１７の撮像装置を上面側から見た平面図である。図１９は図１７の撮像装置を第２姿勢とした時のようすを示す背面側の平面図である。図２０は図１８の状態の撮像装置に表示面拡大ファインダを取り付けた状態を示す平面図である。図２１は図２０の状態の撮像装置を右側面から見た平面図である。
【０２４５】
まず、本変形例の動作モードについて、図１０のフローチャートを用いて以下に説明する。なお、図１０のフローチャートに入る前の処理の流れは、図６と同様であるものとする。
【０２４６】
つまり、上述したように、図６のフローチャートにて撮像モードに設定されていて（ステップＳ４１）、縦横持ち替え動作中ではない場合（ステップＳ４２）に、図６のステップＳ４５の処理にて、現在の撮像装置１の姿勢が第１姿勢若しくは第２姿勢で安定していない状態（例えば持ち替え動作中）であると判定された場合に、図１０のステップＳ１０１の処理に進む（図６，図１０の丸符号Ａ）ものとする。
【０２４７】
図１０のステップＳ１０１において、制御部４２は、縦横頻繁持替モードへの設定指示信号の確認を行なう。ここで、縦横頻繁持替モードへの設定指示信号が確認されると、ステップＳ１０２の処理に進む。また、縦横頻繁持替モードへの設定指示信号が確認されない場合には、ステップＳ１０４の処理に進む。
【０２４８】
そして、ステップＳ１０４において、制御部４２は、通常の撮影動作に対応するユーザーインターフェース（ＵＩ）の設定処理を行う。その後、図示を省略しているが、通常の撮影動作が行われる。そして、通常撮影動作の完了後、ステップＳ５５の処理に進む。
【０２４９】
一方、ステップＳ１０２において、制御部４２は、表示制御部４２ｄを介して背面モニター３５の表示制御を行なう。ここで行われる表示制御は、背面モニター３５の表示画面のうちの一部の領域を使用してライブビュー表示を行なう。例えば、図１７，図１９に示すように、背面モニター３５の表示画面のうちの一部の領域をライブビュー表示領域として使用する。このとき、当該ライブビュー表示領域を明示するライブビュー表示枠（以下、ＬＶ表示枠と表記する）３５ｇを表示させる。撮像素子３１によって取得されるライブビュー画像は、このＬＶ表示枠３５ｇの範囲内に表示される。
【０２５０】
この場合において、ＬＶ表示枠３５ｇは、背面モニター３５の表示画面内において、図１７〜図１９に示すように、その中心位置が撮像光学系４８の光軸Ｏ（レンズ光軸）と一致する位置となるように表示される。
【０２５１】
続いて、ステップＳ１０３において、制御部４２は、表示制御部４２ｄを介して背面モニター３５の表示制御を行なって、ＬＶ表示枠３５ｇ以外の表示領域３５ｈを利用して各種の情報やガイド情報等を表示する。ここで、表示領域３５ｈに表示される情報は、例えば、図１７，図１９において図示している露出情報（シャッター速度値及び絞り値）等の撮影情報のほか、図示を省略しているが、現在の撮像装置１の設定情報（ＡＦターゲット選択設定，露出補正設定，ＩＳＯ感度設定，ホワイトバランス設定，アスペクト比設定等）等や、水準器表示等のガイド情報等である。これらの表示情報は、各対応するアイコンやテキスト等を用いて表示される一般的な表示情報である。その後、ステップＳ５３の処理に進む。
【０２５２】
なお、ステップＳ５３〜Ｓ５６の処理は、上述の図７を用いて説明した各処理ステップと同様である。
【０２５３】
このように、ＬＶ表示枠３５ｇの中心位置が、撮像光学系４８の光軸Ｏと一致するように、背面モニター３５の表示制御を行うようにしたので、背面モニター３５を用いて撮影を行なう際に、横位置（第１姿勢）としても縦位置（第２姿勢）としても、撮影を所望する被写体を背面モニター３５のライブビュー画像として捉えることが容易にできるようになる。
【０２５４】
上述した変形例に係るステップＳ１０１〜Ｓ１０３による動作モードは、近接撮影を行うような場合（具体的には例えば歯科用口腔内撮影の場合等）に特に有効となる撮影動作モードである。撮像装置１から撮影対象とする被写体までの距離が近いほど、ファインダと光軸のズレによって生じる視差（パララックス）が大きくなるためである。
【０２５５】
なお、本変形例においては、図２０，図２１に示すように、ＬＶ表示枠３５ｇを光学的に拡大して観察し得るようにするためのアクセサリである表示面拡大ファインダ５１がある。この表示面拡大ファインダ５１は、背面モニター３５の表示画面を覆うように配設され背面モニター３５の表示画面への外光を遮蔽するボックス形状の本体５１ａと、この本体５１ａの内部に固設され背面モニター３５の表示画面のＬＶ表示枠３５ｇを拡大して観察することのできる光学レンズ５１ｂを有して構成されている。
【０２５６】
ここで、本体５１ａは、背面モニター３５の表示画面上に着脱自在に配設されている。この場合において、光学レンズ５１ｂの光軸Ｏ１が、背面モニタ３５の表示画面に表示されるＬＶ表示枠３５ｇの中心位置と一致するように、当該本体５１ａは背面モニター３５に対して取り付けられている。
【０２５７】
このように、ＬＶ表示枠３５ｇの中心位置と、撮像光学系４８の光軸Ｏ及び光学レンズ５１ｂの光軸Ｏ１とを一致させるように構成したので、表示面拡大ファインダ５１を用いた拡大観察撮影であっても、撮影対象とする被写体を背面モニター３５のライブビュー画像として捉えることが容易にできるようになる。
【０２５８】
以上説明したように上記一実施形態によれば、長方形状の画像を取得する撮像装置１において、撮像光学系４８によって結像された光学像を受けて画像データを取得する撮像ユニット４１と、少なくとも撮像ユニット４１を内部に収納するボディ筐体１０と、ボディ筐体１０の一側面近傍に設けられボディ筐体１０を第１姿勢で保持したときに把持される第１の把持部１１と、ボディ筐体１０の一側面に対して略直交する他側面近傍に設けられボディ筐体１０を第２姿勢で保持したときに把持される第２の把持部２１と、ボディ筐体１０の外表面上における各所定の位置に配設される複数の操作部材とを具備し、ボディ筐体１０の第１の把持部１１を把持して第１姿勢で保持した場合と、ボディ筐体１０の第２の把持部２１を把持して第２姿勢で保持した場合とでは異なる機能が設定されるように構成している。
【０２５９】
この場合において、例えば、ボディ筐体１０の第１の把持部１１を把持して第１姿勢で保持した場合には動画撮影モードが設定され、ボディ筐体１０の第２の把持部２１を把持して第２姿勢で保持した場合には静止画撮影モードが設定される。
【０２６０】
これにより、第１の把持部１１と第２の把持部２１とを持ち替えるのみの操作で、撮像モードにおける動画像撮影モードと静止画像撮影モードとを簡単に切り換えることができる。
【０２６１】
また、例えば、ボディ筐体１０の第１の把持部１１を把持して第１姿勢で保持した場合には通常動画撮影モードが設定され、ボディ筐体１０の第２の把持部２１を把持して第２姿勢で保持した場合には切り出し動画撮影モードが設定される。
【０２６２】
ここで、複数の操作部材は、ボディ筐体１０の背面において第２の把持部２１の近傍に配設される第２背面操作部材（第２リアダイヤル２７）を含み、撮像素子３１によって取得される画像データに基づく画像を表示する表示装置（例えば背面モニター３５）を、さらに具備し、切り出し動画撮影モードは、撮像し得る全撮像領域のうちから一部の領域を横長矩形状の動画像データとして切り出し、切り出された領域を表示画面上に明示する表示枠３５ｃを表示させ、表示枠内にライブビュー画像を表示させ、第２背面操作部材（第２リアダイヤル２７）の操作指示信号に応じて表示枠３５ｃが表示画面の上下方向に移動する（図１５の符号３５ｄ参照）。
【０２６３】
これにより、第１姿勢とすることで通常の横長動画撮影を行うことができ、第２姿勢とすることで切り出し動画撮影モードへと簡単に切り換えることができる。
【０２６４】
また、例えば、第１姿勢と第２姿勢との間で持ち替えることにより、記録画像のアスペクト比の設定値の切り換えを行うことができる。
【０２６５】
一方、第１姿勢と第２姿勢との間で撮像装置１の姿勢を変化させる際に、設定済みの各種設定を保持すると共に複数の操作部材の機能を無効化し、設定済みの各種設定が保持されている旨の表示若しくは当該複数の操作部材の機能を無効化している旨の警告表示を行い、姿勢変化完了後に上記複数の操作部材の機能の無効化を解除するようにしている。これにより、撮像装置１の姿勢変化中の意図しない設定変更を防止することができる。
【０２６６】
また、第１姿勢と第２姿勢との間で撮像装置１の姿勢を変化させる際に、当該姿勢変化前の設定済みの各種設定を一時記憶し、姿勢変化中に設定切り換え操作があった場合には姿勢変化中の設定切り換えが生じた旨の警告表示を行い、姿勢変化完了後に姿勢変化前の各種設定を再設定するようにしている。これにより、撮像装置１の姿勢変化中の意図しない設定変更を防止することができる。
【０２６７】
他方、第１の把持部１１と第２の把持部２１とを同時に把持してボディ筐体１０を保持した場合には、画像編集モードに切り換わるようにしている。この場合において、複数の操作部材は、ボディ筐体１０の背面において第１の把持部１１の近傍に配設される第１背面操作ダイヤル部材（第１リアダイヤル１７）と、ボディ筐体１０の背面において第２の把持部２１の近傍に配設される第２背面操作ダイヤル部材（第２リアダイヤル２７）とを含み、画像編集モードで動作しているときには、第１背面操作ダイヤル部材（第１リアダイヤル１７）は第１パラメータ（フィルターエフェクトの強弱，彩度，水平方向の台形歪み等）に関する調整操作を行う機能を有し、第２背面操作ダイヤル部材（第２リアダイヤル２７）は第２パラメータ（明度，色温度，垂直方向の台形歪み等）に関する調整操作を行う機能を有し、第１背面操作ダイヤル部材（第１リアダイヤル１７）と第２背面操作ダイヤル部材（第２リアダイヤル２７）とは、同時に操作し得るようにしている。
【０２６８】
これにより、画像編集モード時には二つの操作部材（１７，２７）を用いて、二つの設定パラメータの調整を同時に行うことができる。この場合において、二つの操作部材（１７，２７）の操作方向は互いに直交する方向として配置されており、各操作部材の操作方向と、各操作部材を操作した際の表示結果の変位方向とを一致させるようにしたので、操作性を向上させ、かつ直感的な操作を獲得できるという効果を奏する。
【０２６９】
そして、撮像し得る全撮像領域のうちから一部の領域を横長矩形状の動画像データとして切り出し、切り出された領域を明示する表示枠を表示装置の表示画面内に表示し、表示枠内に切り出された動画像データに基づくライブビュー画像を表示する動作モードを設けている。この場合において、表示枠を表示装置の表示画面内に表示するのに際しては、当該表示枠の中心位置と撮像光学系の光軸とを一致させて表示させるようにしている。これにより、撮影対象とする被写体を常に背面モニター３５のライブビュー画像として捉えることが容易にできる。
【０２７０】
さらに、表示装置の表示画面を拡大観察する表示面拡大ファインダを具備することで、より確実で精密な撮影をおこなうことができる。
【０２７１】
なお、プログラムで構成した部分を適宜、回路に置き換えることも可能である。上述の一実施形態の説明中において、「部」（セクションやユニット）として記載した部分は、専用の回路や、複数の汎用の回路を組み合わせて構成してもよく、必要に応じて、予めプログラムされたソフトウェアに従って動作を行うマイコン、ＣＰＵなどのプロセッサ、あるいはＦＰＧＡなどシーケンサを組み合わせて構成されてもよい。また、その制御の一部または全部を外部の装置が引き受けるような設計も可能で、この場合、有線や無線の通信回路が介在する。通信は、ブルートゥース（登録商標）やＷｉＦｉ（登録商標）、電話回線などで行えばよく、ＵＳＢなどで行っても良い。専用の回路、汎用の回路や制御部を一体としてＡＳＩＣとして構成してもよい。機械的に位置制御される部位（例えば移動部など）は、様々なアクチュエータと、必要に応じて移動用の連結メカニズムによって構成されており、ドライバ回路によってアクチュエータが作動する。このドライブ回路もまた、特定のプログラムに従ってマイコンやＡＳＩＣなどが制御する。こうした制御は各種センサやその周辺回路が出力する情報によって、詳細な補正、調整などが行われても良い。
【０２７２】
また、上述の一実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することもできることは言うまでもない。
【０２７３】
また、ここで説明した技術のうち、主にフローチャートで説明した制御や機能は、多くがソフトウエアプログラムにより設定できることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供ができるものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作させるようにすることができ、これによって容易に本実施形態の撮像装置を実現することができる。
【０２７４】
本発明は上述した一実施形態に限定されるものではなく、発明の主旨を逸脱しない範囲内において種々の変形や応用を実施することができることは勿論である。さらに、上記一実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【符号の説明】
【０２７５】
１……撮像装置
１０……ボディ筐体
１０ａ……前面開口
１１……第１グリップ
１１ａ……第１段差部
１１ｂ……第１サムグリップ
１１ｂｂ……傾斜面
１２……第１シャッターボタン
１３……第１フロントダイヤル
１４……第１フロントＡボタン
１５……第１フロントＢボタン
１６……第１リアボタン
１７……第１リアダイヤル
１８……第１ジョイスティック
２１……第２グリップ
２１ａ……第２段差部
２１ｂ……第２サムグリップ
２１ｂｂ……傾斜面
２２……第２シャッターボタン
２３……第２フロントダイヤル
１４……第２フロントＡボタン
１５……第２フロントＢボタン
２６……第２リアボタン
２７……第２リアダイヤル
２８……第２ジョイスティック
３１……撮像素子
３２……マウントリング
３３……レンズ取り外しボタン
３４……電子ビューファインダー
３５……背面モニター
３５ａ，３５ｂ……設定保持表示
３５ｃ，３５ｄ……表示枠
３５ｅ……第１バー表示
３５ｆ……第２バー表示
３５ｇ……ライブビュー（ＬＶ）表示枠
３５ｈ……表示領域
３６……レンズ鏡筒ユニット
３６ａ……フォーカスリング
３６ｂ……ズームリング
４１……撮像ユニット
４２……制御部
４２ａ……画像処理部
４２ｂ……動作モード変更制御部
４２ｃ……パラメータ制御部
４２ｄ……表示制御部
４２ｅ……通信制御部
４２ｆ……記録制御部
４２ｇ……姿勢判定部
４２ｈ……電源制御部
４３……操作部
４４……通信部
４５……記録部
４６……姿勢検出部
４７……電源部
４８……撮像光学系
５１……表示面拡大ファインダ
５１ａ……本体
５１ｂ……光学レンズ
１００Ｌ……左手
１００Ｒ……右手
１０１……親指
１０１Ｌ……左親指
１０１Ｒ……右親指
１０２……人差し指
１０３……中指
１０４……薬指
Ｏ……光軸（撮像光学系）
Ｏ１……光軸（表示面拡大ファインダ）
【図１】
2020086371.tif 000003
【図２】
2020086371.tif 000004
【図３】
2020086371.tif 000005
【図４】
2020086371.tif 000006
【図５】
2020086371.tif 000007
【図６】
2020086371.tif 000008
【図７】
2020086371.tif 000009
【図８】
2020086371.tif 000010
【図９】
2020086371.tif 000011
【図１０】
2020086371.tif 000012
【図１１】
2020086371.tif 000013
【図１２】
2020086371.tif 000014
【図１３】
2020086371.tif 000015
【図１４】
2020086371.tif 000016
【図１５】
2020086371.tif 000017
【図１６】
2020086371.tif 000018
【図１７】
2020086371.tif 000019
【図１８】
2020086371.tif 000020
【図１９】
2020086371.tif 000021
【図２０】
2020086371.tif 000022
【図２１】
2020086371.tif 000023